(57)【特許請求の範囲】
【請求項１】
物理チャネルを扱う通信層を実装する１以上の第１処理カード、論理チャネルを扱う通信層を実装する１以上の第２処理カード、並びに、前記第１処理カード及び／又は前記第２処理カードに対する通信処理についてのスケジューリング機能を実装する１以上の第３処理カードのカード情報を管理する管理部と、
前記管理部によりカード情報が管理される、前記第１処理カード、前記第２処理カード、並びに、前記第３処理カードのなかから、前記論理チャネルに関する信号経路を確立させる処理カードを選択する選択部と、
前記選択部により選択された処理カードの組合せを示す接続関係情報を、該接続関係情報に含まれる各処理カードへ送信する送信部と
を備え、
前記送信部から前記接続関係情報を受信した各処理カードが、該接続関係情報をもとに各処理カード間において前記論理チャネルに関する信号経路を確立する
ことを特徴とする基地局装置。
【請求項２】
前記送信部は、前記接続関係情報を前記第３処理カードへ送信し、
前記第３処理カードは、
前記送信部から受信した前記接続関係情報をもとに、自カードと前記第１処理カード及び／又は前記第２処理カードとの接続関係を自カードへ登録し、該接続関係から、自カードと前記第１処理カード及び／又は前記第２処理カードとの間で前記論理チャネルに関する信号経路を確立し、
前記送信部から受信した前記接続関係情報に示される前記第１処理カード及び／又は前記第２処理カードに対して、該接続関係情報を送信し、
前記第１処理カード及び／又は前記第２処理カードは、
前記第３処理カードから受信した前記接続関係情報をもとに、自カードと前記第３処理カードとの接続関係を自カードへ登録し、該接続関係から、自カードと前記第３処理カードとの間で前記論理チャネルに関する信号経路を確立する
ことを特徴とする請求項１に記載の基地局装置。
【請求項３】
前記第１処理カードは、無線通信の物理層及びＭＡＣ（Media  Access  Control）層における通信処理を実装する処理カードであり、
前記第２処理カードは、無線通信のＲＬＣ（Radio  Link  Control）層及びＰＤＣＰ（Packet  Data  Convergence  Protocol）層における通信処理を実装する処理カードであり、
前記第３処理カードは、無線通信のＭＡＣ層のスケジューリングに関する処理を実装する処理カードである
ことを特徴とする請求項１又は２に記載の基地局装置。
【請求項４】
１以上の前記第１処理カードと、
１以上の前記第２処理カードと、
１以上の前記第３処理カードと、
前記管理部、前記選択部、並びに、前記送信部をそれぞれ有する１以上の第４処理カードと
をさらに備えることを特徴とする請求項１、２又は３に記載の基地局装置。
【請求項５】
前記第４処理カードの選択部は、前記論理チャネルのうち、共通制御チャネル（CCCH：Common  Control  CHannel）に関する信号経路を確立させる場合には、前記基地局装置が収容するセル毎に、１以上の前記第１処理カード及び１以上の前記第３処理カードを選択し、
前記第４処理カードの送信部は、前記選択部により選択された、前記セル毎の前記第１処理カード及び前記第３処理カードの組合せを示す接続関係情報を、該第１処理カード及び該第３処理カードへ送信し、
前記第４処理カードから前記接続関係情報を受信した前記第１処理カード及び前記第３処理カードそれぞれが、該接続関係情報をもとに、相互の接続関係を自カードへ登録し、登録した各接続関係から、前記第１処理カード、前記第３処理カード、並びに、前記第４処理カード間において前記セル毎の前記共通制御チャネルに関する信号経路を確立する
ことを特徴とする請求項４に記載の基地局装置。
【請求項６】
前記第４処理カードの選択部は、前記論理チャネルのうち、個別制御チャネル（DCCH：Dedicated  Control  CHannel）に関する信号経路を確立させる場合には、１以上の前記第１処理カード、１以上の前記第２処理カード、並びに、１以上の前記第３処理カードを選択し、
前記第４処理カードの送信部は、前記選択部により選択された、前記第１処理カード、前記第２処理カード、並びに、前記第３処理カードの組合せを示す接続関係情報を、該第１処理カード、該第２処理カード、並びに、該第３処理カードへ送信し、
前記第４処理カードから前記接続関係情報を受信した、前記第１処理カード、前記第２処理カード、並びに、前記第３処理カードそれぞれが、該接続関係情報をもとに、相互の接続関係を自カードへ登録し、登録した各接続関係から、前記第１処理カード、前記第２処理カード、前記第３処理カード、並びに、前記第４処理カード間において前記個別制御チャネルに関する信号経路を確立する
ことを特徴とする請求項４又は５に記載の基地局装置。
【請求項７】
前記第４処理カードの選択部は、前記論理チャネルのうち、個別通信チャネル（DTCH：Dedicated  Traffic  CHannel）に関する信号経路を確立させる場合には、１以上の前記第１処理カード、１以上の前記第２処理カード、並びに、１以上の前記第３処理カードを選択し、
前記第４処理カードの送信部は、前記選択部により選択された、前記第１処理カード、前記第２処理カード、並びに、前記第３処理カードの組合せを示す接続関係情報を、該第１処理カード、該第２処理カード、並びに、該第３処理カードへ送信し、
前記第４処理カードから前記接続関係情報を受信した、前記第１処理カード、前記第２処理カード、並びに、前記第３処理カードそれぞれが、該接続関係情報をもとに、相互の接続関係を自カードへ登録し、登録した各接続関係から、前記第１処理カード、前記第２処理カード、並びに、前記第３処理カード間において前記共通制御チャネルに関する信号経路を確立する
ことを特徴とする請求項４、５又は６に記載の基地局装置。
【請求項８】
前記第１処理カード、前記第２処理カード、前記第３処理カード、並びに、前記第４処理カードは、
前記基地局装置が有する、各処理カードを挿入するカードスロットに対応付けられたカード番号と、該カードスロットに予め割り当てられたＩＰ（Internet  Protocol）アドレスとの対応表を記憶する対応表記憶部と、
前記カードスロットとの接触点により検知される信号に基づいてカード番号を特定するカード番号特定部と、
前記第４処理カードが挿入されるべき所定のカードスロットに対応付けられたカード番号を記憶する第４処理カード番号記憶部と、
前記カード番号特定部により特定されるカード番号と、前記対応表記憶部に記憶される対応表とに基づいて、自カードのＩＰアドレスを取得し、前記第４処理カード番号記憶部に記憶された前記第４処理カードが挿入されるべき所定のカードスロットに対応付けられたカード番号と、前記対応表記憶部に記憶される対応表とに基づいて、前記第４処理カードのＩＰアドレスを取得し、前記取得した各ＩＰアドレスを用いて各前記処理カードとの通信を行う通信処理部と
を備えることを特徴とする請求項４〜７のいずれか１つに記載の基地局装置。
【発明の詳細な説明】
【技術分野】
【０００１】
本発明は、基地局装置に関する。
【背景技術】
【０００２】
近年、スマートフォン、タブレット端末に代表される携帯通信機器、及び、携帯通信機器を利用した携帯通信によるアプリケーションサービスの急速な普及によって、携帯通信ネットワークのトラヒック量が爆発的に増加している。携帯通信キャリアは、急増するトラヒック量へ対応するため、３Ｇ（3rd  Generation）サービスからＬＴＥ（Long  Term  Evolution、登録商標）サービスへ移行開始したが、さらなるトラヒック対策が求められている。
【０００３】
そこで、例えば、移動機との無線信号をベースバンド処理する複数の処理カードを各エリアに対応させて備える基地局装置が、障害検出された処理カードの無線チャネルを、他エリアをカバーする処理カードへ移設する技術が提案されている。また、例えば、複数の移動端末との送受信信号をベースバンド処理する複数の処理カードを備える無線基地局が、予測した将来のトラフィックの変化に順応して、適切な数の処理カードを稼働させる技術が提案されている。
【先行技術文献】
【特許文献】
【０００４】
【特許文献１】特開２００９−３８６９２号公報
【特許文献２】特開２０１２−８５１５５号公報
【発明の概要】
【発明が解決しようとする課題】
【０００５】
しかし、上記従来技術は、ベースバンド信号に対する一連の処理を実行する複数の機能を一纏まりにし、１つの処理カードに実装する。ベースバンド信号に対する処理は、３ＧＰＰ（3rd  Generation  Partnership  Project、登録商標）で定義されるＲＬＣ（Radio  Link  Control）処理、ＭＡＣ（Media  Access  Control）処理、符号化処理等である。また、上記従来技術は、急増するトラヒック量への対応として、基地局が収容するセル若しくはセクタなどの無線リソース数又は無線リソースへ収容するユーザ端末数に応じた数の処理カードを、１つの基地局装置に収容する。
【０００６】
このため、上記従来技術は、トラフィック量に応じた機能の増設又は減設を、ベースバンド信号に対する一連の処理を実行する複数の機能が一纏まりに実装された処理カード単位で行う。よって、上記従来技術は、機能単位でみた場合、セル若しくはセクタ等の無線リソース毎のトラフィック量によっては過剰なハードウェアリソースの割り当てとなることがあり、処理カードの利用効率が低下するという問題がある。
【０００７】
本願に開示の技術は、基地局装置における処理カードの利用効率の低下を抑制することを目的とする。
【課題を解決するための手段】
【０００８】
１つの側面では、基地局装置は、管理部、選択部、送信部を備える。管理部は、１以上の第１処理カード、１以上の第２処理カード、並びに、第１処理カード及び／又は第２処理カードに対する通信処理についてのスケジューリング機能を実装する１以上の第３処理カードのカード情報を管理する。第１処理カードは、物理チャネルを扱う通信層を実装する。第２処理カードは、論理チャネルを扱う通信層を実装する。選択部は、管理部によりカード情報が管理される、第１処理カード、第２処理カード、並びに、第３処理カードのなかから、論理チャネルに関する信号経路を確立させる処理カードを選択する。送信部は、選択部により選択された処理カードの組合せを示す接続関係情報を、接続関係情報に含まれる各処理カードへ送信する。送信部から接続関係情報を受信した各処理カードが、接続関係情報をもとに各処理カード間において論理チャネルに関する信号経路を確立する。
【発明の効果】
【０００９】
１つの側面によれば、基地局装置における処理カードの利用効率の低下を抑制できる。
【図面の簡単な説明】
【００１０】
【図１】図１は、ＲＥＣ装置の構成の一例を示すブロック図である。
【図２】図２は、各処理カードと通信処理のプロトコルスタックとの対応関係の一例を示す図である。
【図３】図３は、呼制御カードの構成の一例を示すブロック図である。
【図４】図４は、呼制御カードが有する接続テンプレートテーブルの一例を示す図である。
【図５】図５は、呼制御カードが有するカード情報テーブルの一例を示す図である。
【図６】図６は、Ｌ２−２カードの構成の一例を示すブロック図である。
【図７】図７は、Ｌ２−２カードが有する接続テンプレートテーブルの一例を示す図である。
【図８】図８は、Ｌ２−１カードの構成の一例を示すブロック図である。
【図９】図９は、Ｌ２−１カードが有する接続テンプレートテーブルの一例を示す図である。
【図１０】図１０は、Ｌ１カードの構成の一例を示すブロック図である。
【図１１】図１１は、Ｌ１カードが有する接続テンプレートテーブルの一例を示す図である。
【図１２】図１２は、伝送路１カードの構成の一例を示すブロック図である。
【図１３】図１３は、伝送路１カードが有する接続テンプレートテーブルの一例を示す図である。
【図１４】図１４は、第１チャネルの信号経路確立処理の一例を示すシーケンス図である。
【図１５】図１５は、第１チャネルの信号経路確立要求に含まれる接続関係情報の一例を示す図である。
【図１６Ａ】図１６Ａは、Ｌ２−２カードへ登録される第１チャネルの信号経路に関する接続関係情報テーブルの一例を示す図である。
【図１６Ｂ】図１６Ｂは、Ｌ１カードへ登録される第１チャネルの信号経路に関する接続関係情報テーブルの一例を示す図である。
【図１７】図１７は、第１チャネルの信号経路確立処理により確立された信号経路の一例を示すブロック図である。
【図１８】図１８は、第２チャネルの信号経路確立処理の一例を示すシーケンス図である。
【図１９】図１９は、第２チャネルの信号経路確立要求に含まれる接続関係情報の一例を示す図である。
【図２０Ａ】図２０Ａは、Ｌ２−２カードへ登録される第２チャネルの信号経路に関する接続関係情報テーブルの一例を示す図である。
【図２０Ｂ】図２０Ｂは、Ｌ２−１カードへ登録される第２チャネルの信号経路に関する接続関係情報テーブルの一例を示す図である。
【図２０Ｃ】図２０Ｃは、Ｌ１カードへ登録される第２チャネルの信号経路に関する接続関係情報テーブルの一例を示す図である。
【図２０Ｄ】図２０Ｄは、伝送路１カードへ登録される第２チャネルの信号経路に関する接続関係情報テーブルの一例を示す図である。
【図２１】図２１は、第２チャネルの信号経路確立処理により確立された信号経路の一例を示すブロック図である。
【図２２】図２２は、第３チャネルの信号経路確立処理の一例を示すシーケンス図である。
【図２３】図２３は、第３チャネルの信号経路確立要求に含まれる接続関係情報の一例を示す図である。
【図２４Ａ】図２４Ａは、Ｌ２−２カードへ登録される第３チャネルの信号経路に関する接続関係情報テーブルの一例を示す図である。
【図２４Ｂ】図２４Ｂは、Ｌ２−１カードへ登録される第３チャネルの信号経路に関する接続関係情報テーブルの一例を示す図である。
【図２４Ｃ】図２４Ｃは、Ｌ１カードへ登録される第３チャネルの信号経路に関する接続関係情報のテーブル一例を示す図である。
【図２４Ｄ】図２４Ｄは、伝送路１カードへ登録される第３チャネルの信号経路に関する接続関係情報テーブルの一例を示す図である。
【図２５】図２５は、第３チャネルの経路確立処理により確立された信号経路の一例を示すブロック図である。
【図２６】図２６は、第１乃至第３チャネルの信号経路に関する各接続関係情報が登録されたＬ１カードの接続関係情報テーブルの一例を示す図である。
【発明を実施するための形態】
【００１１】
以下に、本願の開示する基地局装置の実施例を、図面に基づいて詳細に説明する。なお、以下の実施例は開示の技術を限定するものではない。そして、各実施例は、処理内容を矛盾させない範囲で適宜組み合わせることが可能である。
【実施例】
【００１２】
［ＲＥＣ装置の構成］
図１は、ＲＥＣ装置の構成の一例を示すブロック図である。図１は、ＲＥＣ装置の構成の一例を示すに過ぎず、これに限定されない。ＲＥＣ（Radio  Equipment  Control）装置とは、移動通信システムの無線基地局を分離して光ファイバ等で接続した無線信号処理部及び無線部のうちの無線通信処理部である。ＲＥＣ装置は、ＢＤＥ（Base  station  Digital  processing  Equipment）装置とも呼ばれる。
【００１３】
ＲＥＣ装置１００は、無線アンテナを有するＲＥ（Radio  Equipment）及びＭＭＥ（Mobile  Management  Entity）／Ｓ−ＧＷ（Serving-GateWay）と接続される。ＲＥＣ装置１００は、呼制御カード１１０、Ｌ２−２カード１２０、Ｌ２−１カード１３０、Ｌ１カード１４０、伝送路１カード１５０、伝送路２カード１６０を有する。ＲＥＣ装置１００は、呼制御カード１１０、Ｌ２−２カード１２０、Ｌ２−１カード１３０、Ｌ１カード１４０、伝送路１カード１５０、伝送路２カード１６０それぞれを、１以上収容する。呼制御カード１１０、Ｌ２−２カード１２０、Ｌ２−１カード１３０、Ｌ１カード１４０、伝送路１カード１５０、伝送路２カード１６０は、それぞれに異なる機能が実装された処理カードである。
【００１４】
なお、呼制御カード１１０、Ｌ２−２カード１２０、Ｌ２−１カード１３０、Ｌ１カード１４０、伝送路１カード１５０、伝送路２カード１６０は、例えば、図示しないバススイッチ（例えばsRIO（serial  Rapid  IO）スイッチ）を介して互いに接続される。
【００１５】
ＲＥＣ装置１００は、各処理カードを複数収容することができる。ＲＥＣ装置１００は、呼制御カード１１０についても複数収容することができる。ＲＥＣ装置１００は、複数枚の呼制御カード１１０を収容する場合、１つの呼制御カード１１０をマスタである主呼制御カードに設定し、主呼制御カード以外の呼制御カード１１０をスレーブである他の呼制御カードに設定する。主呼制御カードと、他の呼制御カードとの差異は、マスタ・スレーブの関係を有する点以外は、同一の機能構成である。
【００１６】
呼制御カード１１０は、主呼制御カードである場合には、呼制御カード本来の機能を有するとともに、他の呼制御カードを制御して、呼制御処理の負荷分散を図る。呼制御カード１１０は、他の呼制御カードである場合には、主呼制御カードの制御下、呼制御処理を実行する。呼制御カード１１０は、回線設定及び回線解放等の呼処理制御（例えばＲＲＣ（Radio  Resource  Control））等が実装される。また、呼制御カード１１０は、ＲＥＣ装置１００に収容される呼制御カード１１０〜伝送路２カード１６０の各処理カードに関する情報の管理機能が実装される。
【００１７】
Ｌ２−２カード１２０は、信号経路に関する情報（例えば信号経路上の信号の滞留量）に基づく信号経路のスケジューリングに関する処理が実装される。例えば、Ｌ２−２カード１２０は、Ｌ１カード１４０にて実行される物理リソース（無線リソース）への信号のマッピング（割当）する際の優先制御などを行う。
【００１８】
Ｌ２−１カード１３０は、論理チャネル以上のレイヤについて、Ｌ２（Layer  ２）に関する処理（例えばＰＤＣＰ（Packet  Data  Convergence  Protocol）層、ＲＬＣ（Radio  Link  Control）層に関する処理）が実装される。例えば、Ｌ２−１カード１３０は、通信レイヤにおけるＬ２−１カード１３０よりも上位の処理カード（例えば呼制御カード１１０）に対して、呼（Bearer）サービス等を提供する。
【００１９】
Ｌ１カード１４０は、物理チャネル及びトランスポートチャネルに関する処理（例えば、ＭＡＣ（Media  Access  Control）層、物理（Physical）層に関する処理）が実装される。例えば、Ｌ１カード１４０は、通信レイヤにおけるＬ１カード１４０よりも上位の処理カード（例えばＬ２−１カード１３０）に対して、無線リソース（例えばセル）に依存しない論理的な階層を提供する。
【００２０】
伝送路１カード１５０は、コアネットワーク網上のノード及び他の基地局装置との通信機能を有する。伝送路２カード１６０は、例えば、ＣＰＲＩ、ＯＲＩ等の伝送路インタフェース規格に従って、無線装置との無線信号（ＩＱ（In-phase／Quadrature）信号）の送受信を行う機能を有する。なお、コアネットワーク網上のノードは、例えば、ＭＭＥ、Ｓ−ＧＷである。ＣＰＲＩはCommon  Public  Radio  Interfaceであり、ＯＲＩはOpen  Radio  Interfaceである。無線装置は、例えば、ＲＥ（Radio  Equipment）２００である。
【００２１】
なお、ＲＥＣ装置１００は、呼制御カード１１０、伝送路１カード１５０、伝送路２カード１６０を有し、Ｌ２−２カード１２０、Ｌ２−１カード、Ｌ１カード１４０を適宜追加可能とする構成であってもよい。
【００２２】
［各処理カードと通信処理のプロトコルスタックとの対応関係］
図２は、各処理カードと通信処理のプロトコルスタックとの対応関係の一例を示す図である。図２は、各処理カードと通信処理のプロトコルスタックとの対応関係の一例を示すに過ぎず、これに限定されない。
【００２３】
信号経路制御等を実行する第２チャネルであるＣ−ｐｌａｎｅ（Control-plane）は、例えばＤＣＣＨ（Dedicated  Control  Channel）である。すなわち、第２チャネルは、ＲＥＣ装置１００が収容する移動局との間で制御信号等を送受信する際に用いられる。また、ユーザデータ処理を実行する第３チャネルであるＵ−ｐｌａｎｅ（User-plane）は、ＤＴＣＨ（Dedicated  Traffic  CHannel）である。なお、後述する第１チャネルは、実施例においては、ＣＣＣＨ（Common  Control  CHannel）、ＢＣＣＨ（Broadcasting  Control  CHannel）等の論理チャネルである。
【００２４】
第１チャネルは、例えば基地局及び対応するＲＥＣ装置１００の起動後のセル設定時に確立される。第１チャネルは、例えばＣＣＣＨである。また、第２チャネルは、例えば基地局及び対応するＲＥＣ装置１００が収容する移動局からのＲＲＣの接続要求を受けて確立される。第２チャネルは、例えばＤＣＣＨである。また、第３チャネルは、例えばＭＭＥからのＮＡＳ（Non  Access  Stratum）メッセージ（Activate  Request又はActivate  Default  EPSBearer  Context  Request）を受けて確立される。第３チャネルは、例えばＤＴＣＨである。
【００２５】
例えば、呼制御カード１１０には、Ｃ−ｐｌａｎｅにおいてＲＲＣ層が実装される。Ｌ２−１カード１３０には、Ｃ−ｐｌａｎｅ及びＵ−ｐｌａｎｅにおいて、ＰＤＣＰ層及びＲＬＣ層が実装される。また、Ｌ２−２カード１２０には、Ｃ−ｐｌａｎｅ及びＵ−ｐｌａｎｅにおいて、ＭＡＣ（Ｓｃｈｅｄｕｌｉｎｇ）（Media  Access  Control  Scheduling）層が実装される。Ｌ１カード１４０には、Ｃ−ｐｌａｎｅ及びＵ−ｐｌａｎｅにおいて、ＭＡＣ（ＨＡＲＱ）（Media  Access  Control  Hybrid  Automatic  Repeat  reQuest）層及びＰＨＹ（PHYsical）層が実装される。
【００２６】
また、伝送路１カード１５０には、Ｃ−ｐｌａｎｅにおいて、Ｓ１−ＡＰ（S1-Application  Protocol）層、ＳＣＴＰ（Stream  Control  Transmission  Protocol）層及びＩＰ（Internet  Protocol）層が実装される。また、伝送路１カードには、Ｕ−ｐｌａｎｅにおいて、ＧＴＰ−Ｕ（Gprs（General  packet  radio  service）  Tunneling  Protocol  User  plane）層、ＵＤＰ（User  Datagram  Protocol）層及びＩＰ（Internet  Protocol）層が実装される。また、伝送路２カード１６０には、Ｃ−ｐｌａｎｅにおいて、ＣＰＲＩ層が実装される。また、伝送路２カード１６０には、Ｕ−ｐｌａｎｅにおいて、ＣＰＲＩ／ＯＲＩ層が実装される。
【００２７】
［呼制御カードの構成］
図３は、呼制御カードの構成の一例を示すブロック図である。図３は、呼制御カードの構成の一例を示すに過ぎず、これに限定されない。呼制御カード１１０は、信号経路制御部１１１、接続関係情報テーブル１１２、接続テンプレートテーブル１１３、カード情報テーブル１１４、カード間通信部１１５、呼処理制御部１１６を有する。
【００２８】
信号経路制御部１１１は、カード間通信部１１５を介して、Ｌ２−２カード１２０、Ｌ２−１カード１３０、Ｌ１カード１４０、伝送路１カード１５０、伝送路２カード１６０から各処理カードのカード情報の通知を受信する。各処理カードのカード情報は、各処理カードの「カード種別」を含む。呼制御カード１１０は、主呼制御カードである場合には、他の呼制御カードから当該他の呼制御カードの「カード種別」を受信する。そして、信号経路制御部１１１は、各処理カードから受信したカード情報をカード情報テーブル１１４へ登録する。
【００２９】
なお、信号経路制御部１１１は、自カードが主呼制御カードである場合は、他の呼制御カードからのカード情報の通知を受けて、カード情報をカード情報テーブル１１４へ登録する。また、信号経路制御部１１１は、自カードが主呼制御カードである場合は、自カードに関するカード情報をカード情報テーブル１１４へ登録する。
【００３０】
また、信号経路制御部１１１は、ＲＥＣ装置１００に収容されるセル毎の第１乃至第３チャネルの信号経路を構成する処理カードを、カード情報テーブル１１４へカード情報が登録されている処理カードから選択する。例えば、信号経路制御部１１１は、信号経路を構成する対象の第１乃至第３チャネルの種別、セルに収容されるユーザ数、セル内のトラフィック量等に応じて、自律的に信号経路を構成する処理カードの種別及び種別毎の数を選択する。例えば、呼制御カード１１０は、第１乃至第３チャネルの信号経路を構成する処理カードに関する情報として、「カード種別」“呼制御カード”“Ｌ２−２カード”“Ｌ１カード”“伝送路２カード”のカード情報から各種別につき１以上のカード情報を選択する。または、例えば、信号経路制御部１１１は、図示しない端末からの入力に応じて、信号経路を構成する処理カードの種別及び種別毎の数を選択してもよい。
【００３１】
そして、信号経路制御部１１１は、セル毎の第１乃至第３チャネルの信号経路を構成するとして選択した各処理カードに対応するカード情報テーブル１１４のカード情報をマージして接続関係情報を生成する。そして、信号経路制御部１１１は、生成した接続関係情報を、接続関係情報テーブル１１２へ登録する。接続関係情報テーブル１１２の詳細は、後述する。
【００３２】
信号経路制御部１１１は、接続関係情報テーブル１１２へ登録した接続関係情報が自カードを含む場合、接続テンプレートテーブル１１３に基づき、チャネル毎に、自カードと入出力関係がある処理カードとの間で信号経路を確立させる。
【００３３】
例えば、信号経路制御部１１１は、接続関係情報テーブル１１２へ登録した接続関係情報が自カードを含む場合、接続テンプレートテーブル１１３で定義される自カードと各処理カードとの接続関係のテンプレートに従って、次の処理を実行する。すなわち、信号経路制御部１１１は、接続関係情報が含む処理カードのうち、自カードと接続関係を有する処理カードを認識する。なお、各処理カードの接続関係のテンプレートとは、自カードとデータの入出力関係がある他の処理カードをチャネル毎に示すモデルである。接続テンプレートテーブル１１３の詳細は、後述する。
【００３４】
そして、信号経路制御部１１１は、カード間通信部１１５を介して、接続関係情報テーブル１１２へ登録した接続関係情報を含む信号経路確立要求を、接続テンプレートテーブル１１３において自カードと接続関係を有する、例えばＬ２−２カード１２０へ送信する。そして、信号経路制御部１１１は、カード間通信部１１５を介して、経路確立要求の送信先である、例えばＬ２−２カード１２０から、接続関係情報が含む伝送路１カード１５０以外の全処理カード間で信号経路が確立したことを示す信号経路確立応答を受信する。このようにして、呼制御カード１１０は、第１乃至第３チャネルの信号経路を、接続関係情報テーブル１１２へ登録した接続関係情報に含まれる処理カード間で確立させる。
【００３５】
また、信号経路制御部１１１は、カード間通信部１１５を介して、ＭＭＥとのＳ１通信リンク確立要求を伝送路１カード１５０へ送信する。伝送路１カード１５０は、信号経路制御部１１１からカード間通信部１１５を介してＳ１通信リンク確立要求を受信すると、ＭＭＥとのＳ１通信リンクを確立させる。そして、信号経路制御部１１１は、カード間通信部１１５を介して、信号経路確立要求に応じて信号経路が確立された各処理カードへチャネルの送受信開始要求を送信する。
【００３６】
その後、呼処理制御部１１６は、カード間通信部１１５を介して、各処理カード間で確立された信号経路を経由して行う通信に関する呼制御を実行する。信号経路制御部１１１は、セル毎のチャネルの信号経路を構成する処理カードの選択から接続関係情報が含む全処理カード間での信号経路確立までの一連の処理、並びに、ＭＭＥとのＳ１通信リンク確立処理を、ＲＥＣ装置１００が収容する全セルについて実行する。
【００３７】
［呼制御カードが有する接続テンプレートテーブル］
図４は、呼制御カードが有する接続テンプレートテーブルの一例を示す図である。図４は、呼制御カードが有する接続テンプレートテーブルの一例を示すに過ぎず、これに限定されない。呼制御カード１１０が有する接続テンプレートテーブル１１３は、信号経路制御部１１１が、生成した接続関係情報に基づき、チャネルの信号経路を構成する際に参照される情報である。
【００３８】
接続テンプレートテーブル１１３は、「経路種別」「リンク種別」「入力」「出力」のカラムを有する。「経路種別」は、“第１チャネル”“第２チャネル”“第３チャネル”の別を示す。「リンク種別」は、“ＵＬ”（UpLink、上りリンク）“ＤＬ”（DownLink、下りリンク）の別を示す。「入力」は、「リンク種別」毎に、当該呼制御カード１１０の「入力」側にチャネル接続される入力元となる処理カードの「カード種別」を示す。「出力」は、当該呼制御カード１１０の「出力」側にチャネル接続される出力先となる処理カードの「カード種別」を示す。
【００３９】
例えば、「経路種別」“第１チャネル”及び「リンク種別」“ＵＬ”のチャネルの信号経路は、当該呼制御カード１１０への「入力」が“Ｌ１カード”であり、当該呼制御カード１１０からの「出力」が“Ｌ１カード”である。また、例えば、「経路種別」“第１チャネル”及び「リンク種別」“ＤＬ”のチャネルの信号経路は、当該呼制御カード１１０への「入力」が“Ｌ１カード”であり、当該呼制御カード１１０からの「出力」が“Ｌ１カード”である。
【００４０】
また、「経路種別」“第２チャネル”及び「リンク種別」“ＵＬ”のチャネルの信号経路は、当該呼制御カード１１０への「入力」が“Ｌ２−１カード”であり、当該呼制御カード１１０からの「出力」が“伝送路１カード”である。また、例えば、「経路種別」“第２チャネル”及び「リンク種別」“ＤＬ”のチャネルの信号経路は、当該呼制御カード１１０への「入力」が“伝送路１カード”であり、当該呼制御カード１１０からの「出力」が“Ｌ２−１カード”である。
【００４１】
また、「経路種別」“第３チャネル”及び「リンク種別」“ＵＬ”のチャネルの信号経路は、当該呼制御カード１１０への「入力」及び当該呼制御カード１１０からの「出力」が、ともに“−”である。すなわち、「経路種別」“第３チャネル”の信号経路は、当該呼制御カード１１０を含まず構成される。
【００４２】
［呼制御カードが有するカード情報テーブル］
図５は、呼制御カードが有するカード情報テーブルの一例を示す図である。図５は、各処理カードのカード情報テーブルの一例を示すに過ぎず、これに限定されない。呼制御カード１１０が有するカード情報テーブル１１４は、当該呼制御カード１１０が収容されるＲＥＣ装置１００に収容される各処理カードから当該呼制御カード１１０へ通知されたカード情報に基づき生成される。
【００４３】
なお、各処理カードから呼制御カード１１０へ通知されるカード情報は、少なくとも「カード種別」を含んでいればよい。例えば、呼制御カード１１０は、各処理カードからのカード情報が通知される信号経路から、どのカード番号に対応付けられたカードスロットに収容されている処理カードから発信されたかを特定するようにしてもよい。この場合、カード情報の通知を受けた際に、カード情報の内容に依存せずに「カード番号」を取得できるため、各処理カードは、呼制御カード１１０へ通知するカード情報に「カード番号」を含めなくてもよい。
【００４４】
呼制御カード１１０は、各処理カードから通知を受けたカード情報をカード情報テーブル１１４へ登録後、オペレータの操作等に基づき、各処理カードに対して「アドレス情報」を設定する。このように、呼制御カード１１０は、図５に示すような「アドレス情報」をカード情報テーブル１１４へ登録する。なお、各処理カードに、「カード番号」「アドレス情報」の対応関係のリスト、又は、「カード番号」「アドレス情報」「依存関係」の対応関係のリストがプリインストールされているように構成してもよい。この場合、各処理カードから呼制御カード１１０へ通知されるカード情報は、「カード番号」「カード種別」「アドレス情報」の組合せ、又は、「カード番号」「カード種別」「アドレス情報」「依存関係」の組合せとなる。
【００４５】
カード情報テーブル１１４は、「カード番号」「カード種別」「アドレス情報」「依存関係」「使用中フラグ」のカラムを有する。「カード番号」は、例えば、ＲＥＣ装置１００に各処理カードを収容する際に用いられるカードスロットに対応付けられた番号である。「カード種別」は、該当エントリにおける処理カードの種別を示す。「アドレス情報」は、例えば、ＩＰ（Internet  Protocol）アドレスである。「アドレス情報」は、ＲＥＣ装置１００内において各処理カードを特定できる情報であればよく、ＩＰアドレスに限らず、他のアドレス等の識別情報を用いてもよい。
【００４６】
「依存関係」は、「カード番号」に対応付けられたカードスロットの実装に応じて予め決められた依存関係を示す。例えば、図５の例では、「カード番号」“１”のカードスロットへ収容される“Ｌ１カード”と、「カード番号」“２２”のカードスロットに収容される“伝送路２カード”とは、予め１対１に対応付けられていることを示す。なお、「依存関係」“−”が示されている「カード番号」に対応する処理カードは、他のカードスロットに収容される処理カードとの依存関係がないことを示す。
【００４７】
「使用中フラグ」は、該当エントリの処理カードが使用中であるか否か、すなわち該当処理カードが確立されたチャネルの信号経路に組み入れられているか否かを示すフラグである。「使用中フラグ」“０”は、該当エントリの処理カードが使用中でないことを示し、「使用中フラグ」“１”は、該当エントリの処理カードが使用中であることを示す。
【００４８】
図５に示す例は、「カード種別」について、カード情報テーブル１１４に、“Ｌ１カード”の処理カードが５つ登録されており、“Ｌ２−２カード”の処理カードが８つ登録されており、“伝送路１カード”の処理カードが２つ登録されていることを示す。また、図５に示す例は、「カード種別」について、カード情報テーブル１１４に、“Ｌ２−１カード”の処理カードが３つ登録されており、“呼制御カード”の処理カードが３つ登録されており、“伝送路２カード”の処理カードが５つ登録されていることを示す。
【００４９】
なお、図５では、「カード番号」“２１”の「カード種別」“呼制御カード”が、主呼制御カードである。そして、「カード番号」“１９”“２０”の「カード種別」“呼制御カード”は、マスタとしての主呼制御カードに対するスレーブとしての呼制御カードである。
【００５０】
呼制御カード１１０は、セル毎のチャネルの信号経路を構成する処理カードの選択時、「使用中フラグ」が“０”、すなわち未使用である処理カードを選択する。呼制御カード１１０は、処理カードの選択時、信号経路を構成する対象の第１乃至第３チャネルの種別、セルに収容されるユーザ数、セル内のトラフィック量等に応じて、先ずＬ１カード１４０を選択する。その後、呼制御カード１１０は、信号経路を構成する対象の第１乃至第３チャネルの種別、セルに収容されるユーザ数、セル内のトラフィック量等に応じて、「依存関係」により特定される伝送路２カード１６０を選択する。
【００５１】
そして、呼制御カード１１０は、信号経路を構成する対象の第１乃至第３チャネルの種別、セルに収容されるユーザ数、セル内のトラフィック量等に応じて、Ｌ２−２カード１２０、Ｌ２−１カード１３０、伝送路１カード１５０を選択する。そして、呼制御カード１１０は、選択した処理カードに該当するエントリの「使用中フラグ」を“１”とする。呼制御カード１１０は、「使用中フラグ」“１”のエントリに該当する処理カードを、確立されたチャネルの信号経路から開放すると、「使用中フラグ」を“０”とする。
【００５２】
［Ｌ２−２カードの構成］
図６は、Ｌ２−２カードの構成の一例を示すブロック図である。図６は、Ｌ２−２カードの構成の一例を示すに過ぎず、これに限定されない。Ｌ２−２カード１２０は、信号経路制御部１２１、接続関係情報テーブル１２２、接続テンプレートテーブル１２３、カード間通信部１２４、ＵＬ（Up  Link）スケジューラ部１２５、ＤＬ（Down  Link）スケジューラ部１２６を有する。
【００５３】
信号経路制御部１２１は、カード間通信部１２４を介して、例えば呼制御カード１１０から、接続関係情報を含む、第１乃至第３チャネルの信号経路確立要求を受信する。そして、信号経路制御部１２１は、受信した信号経路確立要求が含む接続関係情報に自カードを含むか否かを判定する。そして、信号経路制御部１２１は、受信した信号経路確立要求が含む接続関係情報が自カードを含む場合、次の処理を実行する。
【００５４】
すなわち、信号経路制御部１２１は、受信した信号経路確立要求が含む接続関係情報から接続テンプレートテーブル１２３の「入力」「出力」と合致する「カード種別」のエントリ及び“伝送路１カード”“伝送路２カード”を含むエントリを抽出する。そして、信号経路制御部１２１は、抽出した接続関係情報を、接続関係情報テーブル１２２へ登録する。接続関係情報テーブル１２２の詳細は、図１６Ａ、図２０Ａ、図２４Ａを参照して後述する。また、接続テンプレートテーブル１２３の詳細は、図７を参照して後述する。
【００５５】
そして、信号経路制御部１２１は、カード間通信部１２４を介して、接続関係情報テーブル１２２へ登録した接続関係情報を含む信号経路確立要求を、例えばＬ２−１カード１３０及び／又はＬ１カード１４０へ送信する。ここで、Ｌ２−１カード１３０及び／又はＬ１カード１４０は、接続テンプレートテーブル１２３において自カードとの接続関係が定義される処理カードである。接続テンプレートテーブル１２３の詳細は、後述する。
【００５６】
そして、信号経路制御部１２１は、カード間通信部１２４を介して、接続関係情報を送信した例えばＬ２−１カード１３０及び／又はＬ１カード１４０から、送信した接続関係情報が含む全処理カード間で信号経路が確立したことを示す信号経路確立応答を受信する。このようにして、Ｌ２−２カード１２０は、第１乃至第３チャネルの信号経路を、接続関係情報テーブル１２２へ登録した接続関係情報が含む全ての処理カード間で確立させる。
【００５７】
その後、ＵＬスケジューラ部１２５及びＤＬスケジューラ部１２６は、カード間通信部１２４を介して、各処理カード間で確立された信号経路を経由して行うアップロードリンク及びダウンロードリンクそれぞれに関するスケジューリングを実行する。
【００５８】
［Ｌ２−２カードが有する接続テンプレートテーブル］
図７は、Ｌ２−２カードが有する接続テンプレートテーブルの一例を示す図である。図７は、Ｌ２−２カードが有する接続テンプレートテーブルの一例を示すに過ぎず、これに限定されない。Ｌ２−２カード１２０が有する接続テンプレートテーブル１２３は、信号経路制御部１２１が、呼制御カード１１０から受信した接続関係情報に基づき、チャネルの信号経路を構成する際に参照される情報である。接続テンプレートテーブル１２３の構成は、呼制御カード１１０が有する接続テンプレートテーブル１１３と同様の構成である。
【００５９】
例えば、「経路種別」“第１チャネル”及び「リンク種別」“ＵＬ”“ＤＬ”のチャネルの信号経路は、当該Ｌ２−２カード１２０に対する「入力」「出力」が、ともに“Ｌ１カード”である。また、「経路種別」“第２チャネル”及び「リンク種別」“ＵＬ１”“ＤＬ１”のチャネルの信号経路は、当該Ｌ２−２カード１２０に対する「入力」「出力」が、ともに“Ｌ１カード”である。また、例えば、「経路種別」“第２チャネル”及び「リンク種別」“ＤＬ２”のチャネルの信号経路は、当該Ｌ２−２カード１２０への「入力」が“Ｌ２−１カード”であり、当該Ｌ２−２カード１２０からの「出力」が“Ｌ１カード”である。なお、「経路種別」“第２チャネル”及び「リンク種別」“ＤＬ２”に対応するアップロードリンクの信号経路は、定義されない。
【００６０】
また、「経路種別」“第３チャネル”及び「リンク種別」“ＵＬ１”“ＤＬ１”のチャネルの信号経路は、当該Ｌ２−２カード１２０に対する「入力」「出力」が、ともに“Ｌ１カード”である。また、例えば、「経路種別」“第３チャネル”及び「リンク種別」“ＤＬ２”のチャネルの信号経路は、当該Ｌ２−２カード１２０への「入力」が“Ｌ２−１カード”であり、当該Ｌ２−２カード１２０からの「出力」が“Ｌ１カード”である。なお、「経路種別」“第３チャネル”及び「リンク種別」“ＤＬ２”に対応するアップロードリンクの信号経路は、定義されない。
【００６１】
［Ｌ２−１カードの構成］
図８は、Ｌ２−１カードの構成の一例を示すブロック図である。図８は、Ｌ２−１カードの構成の一例を示すに過ぎず、これに限定されない。Ｌ２−１カード１３０は、信号経路制御部１３１、接続関係情報テーブル１３２、接続テンプレートテーブル１３３、カード間通信部１３４、ＵＬ（UpLink）処理部１３５、ＤＬ（DownLink）処理部１３６を有する。
【００６２】
また、ＵＬ処理部１３５は、ＵＬ  ＰＤＣＰ（UpLink  PDCP）処理部１３５ａ、ＵＬ  ＲＬＣ（UpLibk  RLC）処理部１３５ｂを有する。また、ＤＬ処理部１３６は、ＤＬ  ＰＤＣＰ（DownLink  PDCP）処理部１３６ａ、ＤＬ  ＲＬＣ（DownLink  RLC）処理部１３６ｂを有する。
【００６３】
信号経路制御部１３１は、カード間通信部１３４を介して、例えばＬ２−２カード１２０から、接続関係情報を含む、第１乃至第３チャネルの信号経路確立要求を受信する。そして、信号経路制御部１３１は、受信した信号経路確立要求が含む接続関係情報が自カードを含むか否かを判定する。そして、信号経路制御部１３１は、受信した信号経路確立要求が含む接続関係情報が自カードを含む場合、次の処理を実行する。
【００６４】
すなわち、信号経路制御部１３１は、受信した信号経路確立要求が含む接続関係情報から接続テンプレートテーブル１３３の「入力」「出力」と合致する「カード種別」のエントリ及び“伝送路１カード”“伝送路２カード”を含むエントリを抽出する。そして、信号経路制御部１３１は、抽出した接続関係情報を、接続関係情報テーブル１３２へ登録する。接続関係情報テーブル１３２の詳細は、図２０Ｂ、図２４Ｂを参照して後述する。また、接続テンプレートテーブル１３３の詳細は、図９を参照して後述する。
【００６５】
信号経路制御部１３１は、接続関係情報テーブル１３２及び接続テンプレートテーブル１３３に基づき、信号経路を確立する他の処理カードが存在する場合、接続関係情報を含む信号経路確立要求を、カード間通信部１３４を介して、他の処理カードへ送信する。ここで、他の処理カードは、接続関係情報テーブル１３２へ登録された接続関係情報が含む処理カードであって、接続テンプレートテーブル１３３において自カードとの接続関係が定義され、かつ、自カードとの信号経路が未確立の処理カードである。
【００６６】
そして、信号経路制御部１３１は、カード間通信部１３４を介して、接続関係情報を送信した、例えばＬ２−２カード１２０との間で信号経路が確立したことを示す信号経路確立応答を、Ｌ２−２カード１２０へ送信する。
【００６７】
このようにして、Ｌ２−１カード１３０は、第１乃至第３チャネルの信号経路を、接続関係情報テーブル１３２へ登録した接続関係情報が含む全ての処理カード間で確立させる。
【００６８】
その後、ＵＬ処理部１３５のＵＬ  ＰＤＣＰ処理部１３５ａは、カード間通信部１３４を介して、各処理カード間で確立された信号経路を経由して行うアップロードリンクに関するＰＤＣＰ処理を実行する。また、ＵＬ処理部１３５のＵＬ  ＲＬＣ処理部１３５ｂは、カード間通信部１３４を介して、各処理カード間で確立された信号経路を経由して行うアップロードリンクに関するＲＬＣ処理を実行する。
【００６９】
また、ＤＬ処理部１３６のＵＬ  ＰＤＣＰ処理部１３６ａは、カード間通信部１３４を介して、各処理カード間で確立された信号経路を経由して行うダウンロードロードリンクに関するＰＤＣＰ処理を実行する。また、ＤＬ処理部１３６のＤＬ  ＲＬＣ処理部１３６ｂは、カード間通信部１３４を介して、各処理カード間で確立された信号経路を経由して行うダウンロードリンクに関するＲＬＣ処理を実行する。
【００７０】
［Ｌ２−１カードが有する接続テンプレートテーブル］
図９は、Ｌ２−１カードが有する接続テンプレートテーブルの一例を示す図である。図９は、Ｌ２−１カードが有する接続テンプレートテーブルの一例を示すに過ぎず、これに限定されない。Ｌ２−１カード１３０が有する接続テンプレートテーブル１３３は、信号経路制御部１３１が、Ｌ２−２カード１２０から受信した接続関係情報に基づき、チャネルの信号経路を構成する際に参照される情報である。接続テンプレートテーブル１３３の構成は、呼制御カード１１０が有する接続テンプレートテーブル１１３、Ｌ２−２カード１２０が有する接続テンプレートテーブル１２３と同様の構成である。
【００７１】
例えば、「経路種別」“第１チャネル”及び「リンク種別」“ＵＬ”“ＤＬ”のチャネルの信号経路は、当該Ｌ２−２カード１２０に対する「入力」「出力」が、ともに“−”であり、定義されない。
【００７２】
また、「経路種別」“第２チャネル”及び「リンク種別」“ＵＬ１”のチャネルの信号経路は、当該Ｌ２−１カード１３０への「入力」が“Ｌ１カード”であり、当該Ｌ２−１カード１３０からの「出力」が“Ｌ２−２カード”である。また、「経路種別」“第２チャネル”及び「リンク種別」“ＵＬ２”のチャネルの信号経路は、当該Ｌ２−１カード１３０への「入力」が“Ｌ１カード”であり、当該Ｌ２−１カード１３０からの「出力」が“呼制御カード”である。
【００７３】
また、「経路種別」“第２チャネル”及び「リンク種別」“ＤＬ１”のチャネルの信号経路は、当該Ｌ２−１カード１３０への「入力」が“呼制御カード”であり、当該Ｌ２−１カード１３０からの「出力」が“Ｌ１カード”である。また、「経路種別」“第２チャネル”及び「リンク種別」“ＤＬ２”のチャネルの信号経路は、当該Ｌ２−１カード１３０への「入力」が“呼制御カード”であり、当該Ｌ２−１カード１３０からの「出力」が“Ｌ２−２カード”である。
【００７４】
また、「経路種別」“第３チャネル”及び「リンク種別」“ＵＬ１”のチャネルの信号経路は、当該Ｌ２−１カード１３０への「入力」が“Ｌ１カード”であり、当該Ｌ２−１カード１３０からの「出力」が“Ｌ２−２カード”である。また、「経路種別」“第３チャネル”及び「リンク種別」“ＵＬ２”のチャネルの信号経路は、当該Ｌ２−１カード１３０への「入力」が“Ｌ１カード”であり、当該Ｌ２−１カード１３０からの「出力」が“伝送路１カード”である。
【００７５】
また、「経路種別」“第３チャネル”及び「リンク種別」“ＤＬ１”のチャネルの信号経路は、当該Ｌ２−１カード１３０への「入力」が“Ｌ１カード”であり、当該Ｌ２−１カード１３０からの「出力」が“Ｌ２−２カード”である。また、「経路種別」“第３チャネル”及び「リンク種別」“ＤＬ２”のチャネルの信号経路は、当該Ｌ２−１カード１３０への「入力」が“Ｌ２−２カード”であり、当該Ｌ２−１カード１３０からの「出力」が“Ｌ１カード”である。
【００７６】
［Ｌ１カードの構成］
図１０は、Ｌ１カードの構成の一例を示すブロック図である。図１０は、Ｌ１カードの構成の一例を示すに過ぎず、これに限定されない。Ｌ１カード１４０は、信号経路制御部１４１、接続関係情報テーブル１４２、接続テンプレートテーブル１４３、カード間通信部１４４、ＵＬ（UpLink）処理部１４５、ＤＬ（DownLink）処理部１４６を有する。
【００７７】
また、ＵＬ処理部１４５は、ＵＬ  ＭＡＣ（UpLink  Media  Access  Control）処理部１４５ａ、ＵＬ（UpLink）チャネル復号部１４４ｂ、ＵＬ（UpLink）復調部１４５ｃを有する。また、ＤＬ処理部１４６は、ＤＬ  ＭＡＣ（DownLink  Media  Access  Control）処理部１４６ａ、ＤＬチャネル符号化部１４６ｂ、ＤＬ（Downlink）変調部１４６ｃを有する。
【００７８】
信号経路制御部１４１は、カード間通信部１４４を介して、例えばＬ２−２カード１２０から、接続関係情報を含む、第１乃至第３チャネルの信号経路確立要求を受信する。そして、信号経路制御部１４１は、受信した信号経路確立要求が含む接続関係情報が自カードを含むか否かを判定する。そして、信号経路制御部１４１は、受信した信号経路確立要求が含む接続関係情報が自カードを含む場合、次の処理を実行する。
【００７９】
すなわち、信号経路制御部１４１は、受信した信号経路確立要求が含む接続関係情報から接続テンプレートテーブル１４３と合致する「カード種別」のエントリ及び“伝送路１カード”“伝送路２カード”を含むエントリを抽出する。そして、信号経路制御部１４１は、抽出した接続関係情報を、接続関係情報テーブル１４２へ登録する。接続関係情報テーブル１４２の詳細は、図１６Ｂ、図２０Ｃ、図２４Ｃを参照して後述する。また、接続テンプレートテーブル１４３の詳細は、図１１を参照して後述する。
【００８０】
信号経路制御部１４１は、接続関係情報テーブル１４２及び接続テンプレートテーブル１４３に基づき、信号経路を確立する他の処理カードが存在する場合、接続関係情報を含む信号経路確立要求を、カード間通信部１４４を介して、他の処理カードへ送信する。ここで、他の処理カードは、接続関係情報テーブル１４２へ登録された接続関係情報が含む処理カードであって、接続テンプレートテーブル１４３において自カードとの接続関係が定義され、かつ、自カードとの信号経路が未確立の処理カードである。
【００８１】
そして、信号経路制御部１４１は、カード間通信部１４４を介して、接続関係情報を送信した、例えばＬ２−２カード１２０との間で信号経路が確立したことを示す信号経路確立応答を、Ｌ２−２カード１２０へ送信する。
【００８２】
このようにして、Ｌ１カード１４０は、第１乃至第３チャネルの信号経路を、接続関係情報テーブル１４２へ登録した接続関係情報が含む全ての処理カード間で確立させる。
【００８３】
その後、ＵＬ処理部１４５のＵＬ  ＭＡＣ処理部１４５ａは、カード間通信部１４４を介して、各処理カード間で確立された信号経路を経由して行うアップロードリンクに関するＭＡＣ処理を実行する。また、ＵＬ処理部１４５のＵＬチャネル復号部１４５ｂは、カード間通信部１３４を介して、各処理カード間で確立された信号経路を経由して行うアップロードリンクに関するチャネル復号処理を実行する。また、ＵＬ処理部１４５のＵＬ復調部１４５ｃは、カード間通信部１４４を介して、各処理カード間で確立された信号経路を経由して行うアップロードリンクに関する復調処理を実行する。
【００８４】
また、ＤＬ処理部１４６のＤＬ  ＭＡＣ処理部１４６ａは、カード間通信部１４４を介して、各処理カード間で確立された信号経路を経由して行うダウンロードロードリンクに関するＭＡＣ処理を実行する。また、ＤＬ処理部１４６のＤＬチャネル符号化部１４６ｂは、カード間通信部１４４を介して、各処理カード間で確立された信号経路を経由して行うダウンロードリンクに関するチャネル符号化処理を実行する。また、ＤＬ処理部１４６のＤＬ変調部１４６ｃは、カード間通信部１４４を介して、各処理カード間で確立された信号経路を経由して行うダウンロードリンクに関する変調処理を実行する。
【００８５】
［Ｌ１カードが有する接続テンプレートテーブル］
図１１は、Ｌ１カードが有する接続テンプレートテーブルの一例を示す図である。図１１は、Ｌ１カードが有する接続テンプレートテーブルの一例を示すに過ぎず、これに限定されない。Ｌ１カード１４０が有する接続テンプレートテーブル１４３は、信号経路制御部１４１が、Ｌ２−２カード１２０から受信した接続関係情報に基づき、チャネルの信号経路を構成する際に参照される情報である。接続テンプレートテーブル１４３の構成は、呼制御カード１１０が有する接続テンプレートテーブル１１３、Ｌ２−２カード１２０が有する接続テンプレートテーブル１２３、Ｌ２−１カード１３０が有する接続テンプレートテーブル１３３と同様の構成である。
【００８６】
例えば、「経路種別」“第１チャネル”及び「リンク種別」“ＵＬ１”のチャネルの信号経路は、当該Ｌ１カード１４０への「入力」が“伝送路２カード”であり、当該Ｌ１カード１４０からの「出力」が“呼制御カード”である。また、「経路種別」“第１チャネル”及び「リンク種別」“ＵＬ２”のチャネルの信号経路は、当該Ｌ１カード１４０への「入力」が“伝送路２カード”であり、当該Ｌ１カード１４０からの「出力」が“Ｌ２−２カード”である。
【００８７】
また、「経路種別」“第１チャネル”及び「リンク種別」“ＤＬ１”のチャネルの信号経路は、当該Ｌ１カード１４０への「入力」が“呼制御カード”であり、当該Ｌ１カード１４０からの「出力」が“伝送路２カード”である。また、「経路種別」“第１チャネル”及び「リンク種別」“ＤＬ２”のチャネルの信号経路は、当該Ｌ１カード１４０への「入力」が“Ｌ２−２カード”であり、当該Ｌ１カード１４０からの「出力」が“伝送路２カード”である。
【００８８】
また、「経路種別」“第２チャネル”及び「リンク種別」“ＵＬ１”のチャネルの信号経路は、当該Ｌ１カード１４０への「入力」が“伝送路２カード”であり、当該Ｌ１カード１４０からの「出力」が“Ｌ２−１カード”である。また、「経路種別」“第２チャネル”及び「リンク種別」“ＵＬ２”のチャネルの信号経路は、当該Ｌ１カード１４０への「入力」が“伝送路２カード”であり、当該Ｌ１カード１４０からの「出力」が“Ｌ２−２カード”である。
【００８９】
また、「経路種別」“第２チャネル”及び「リンク種別」“ＤＬ１”のチャネルの信号経路は、当該Ｌ１カード１４０への「入力」が“Ｌ２−１カード”であり、当該Ｌ１カード１４０からの「出力」が“伝送路２カード”である。また、「経路種別」“第２チャネル”及び「リンク種別」“ＤＬ２”のチャネルの信号経路は、当該Ｌ１カード１４０への「入力」が“Ｌ２−２カード”であり、当該Ｌ１カード１４０からの「出力」が“伝送路２カード”である。
【００９０】
また、「経路種別」“第３チャネル”及び「リンク種別」“ＵＬ１”のチャネルの信号経路は、当該Ｌ１カード１４０への「入力」が“伝送路２カード”であり、当該Ｌ１カード１４０からの「出力」が“Ｌ２−１カード”である。また、「経路種別」“第３チャネル”及び「リンク種別」“ＵＬ２”のチャネルの信号経路は、当該Ｌ１カード１４０への「入力」が“伝送路２カード”であり、当該Ｌ１カード１４０からの「出力」が“Ｌ２−２カード”である。
【００９１】
また、「経路種別」“第３チャネル”及び「リンク種別」“ＤＬ１”のチャネルの信号経路は、当該Ｌ１カード１４０への「入力」が“Ｌ２−１カード”であり、当該Ｌ１カード１４０からの「出力」が“伝送路２カード”である。また、「経路種別」“第３チャネル”及び「リンク種別」“ＤＬ２”のチャネルの信号経路は、当該Ｌ１カード１４０への「入力」が“Ｌ２−２カード”であり、当該Ｌ１カード１４０からの「出力」が“伝送路２カード”である。
【００９２】
［伝送路１カードの構成］
図１２は、伝送路１カードの構成の一例を示すブロック図である。伝送路１カード１５０は、信号経路制御部１５１、接続関係情報テーブル１５２、接続テンプレートテーブル１５３、カード間通信部１５４、プロトコル処理部１５５を有する。
【００９３】
信号経路制御部１５１は、カード間通信部１５４を介して、例えば呼制御カード１１０から、接続関係情報を含む、ＭＭＥ、第２又は第３チャネルの信号経路確立要求を受信する。そして、信号経路制御部１５１は、受信した信号経路確立要求が含む接続関係情報が自カードを含むか否かを判定する。そして、信号経路制御部１５１は、受信した信号経路確立要求が含む接続関係情報が自カードを含む場合、次の処理を実行する。
【００９４】
すなわち、信号経路制御部１５１は、受信した信号経路確立要求が含む接続関係情報から接続テンプレートテーブル１５３の「入力」「出力」と合致する「カード種別」のエントリ及び“伝送路１カード”“伝送路２カード”を含むエントリを抽出する。そして、信号経路制御部１５１は、抽出した接続関係情報を、接続関係情報テーブル１５２へ登録する。接続関係情報テーブル１５２の詳細は、図２０Ｄ、図２４Ｄを参照して後述する。また、接続テンプレートテーブル１５３の詳細は、図１３を参照して後述する。
【００９５】
信号経路制御部１５１は、接続関係情報テーブル１５２及び接続テンプレートテーブル１５３に基づき、信号経路を確立する他の処理カードが存在する場合、接続関係情報を含む信号経路確立要求を、カード間通信部１５４を介して、他の処理カードへ送信する。ここで、他の処理カードは、接続関係情報テーブル１５２へ登録された接続関係情報が含む処理カードであって、接続テンプレートテーブル１５３において自カードとの接続関係が定義され、かつ、自カードとの信号経路が未確立の処理カードである。
【００９６】
そして、信号経路制御部１５１は、カード間通信部１５４を介して、接続関係情報を送信した、例えば呼制御カード１１０との間で信号経路が確立したことを示す信号経路確立応答を、呼制御カード１１０へ送信する。
【００９７】
このようにして、伝送路１カード１５０は、ＭＭＥ、第２又は第３チャネルの信号経路を、接続関係情報テーブル１５２へ登録した接続関係情報が含む全ての処理カード間で確立させる。
【００９８】
その後、プロトコル処理部１５５は、カード間通信部１５４を介して、各処理カード間で確立された信号経路を経由して行うアップロードリンク及びダウンロードリンクに関する所定のプロトコル処理を実行する。
【００９９】
なお、伝送路２カード１６０の構成は、次の点を除き、伝送路１カード１５０と同様である。すなわち、伝送路２カード１６０は、第１乃至第３チャネルのいずれにおいてもＬ１カード１４０及びＲＥ２００との間の信号経路を構成する。一方、伝送路１カード１５０は、第１チャネルにおいては信号経路を構成せず、第２チャネルにおいてはＭＭＥ及び呼制御カード１１０との間の信号経路を構成し、第３チャネルにおいてはＭＭＥ及びＬ２−１カード１３０との間の信号経路を構成する。
【０１００】
［伝送路１カードが有する接続テンプレートテーブル］
図１３は、伝送路１カードが有する接続テンプレートテーブルの一例を示す図である。図１３は、伝送路１カードが有する接続テンプレートテーブルの一例を示すに過ぎず、これに限定されない。
【０１０１】
伝送路１カード１５０が有する接続テンプレートテーブル１５３は、信号経路制御部１５１が、呼制御カード１１０から受信した接続関係情報に基づき、チャネルの信号経路を構成する際に参照される情報である。接続テンプレートテーブル１５３の構成は、呼制御カード１１０、Ｌ２−２カード１２０、Ｌ２−１カード１３０、Ｌ１カード１４０それぞれが有する接続テンプレートテーブル１１３、１２３、１３３、１４３と同様の構成である。
【０１０２】
例えば、「経路種別」“第１チャネル”及び「リンク種別」“ＵＬ”“ＤＬ”のチャネルの信号経路は、当該伝送路１カード１５０に対する「入力」「出力」が、ともに“−”であり、定義されない。
【０１０３】
また、「経路種別」“第２チャネル”及び「リンク種別」“ＵＬ”のチャネルの信号経路は、当該伝送路１カード１５０への「入力」が“ＭＭＥ”であり、当該伝送路１カード１５０からの「出力」が“呼制御カード”である。また、「経路種別」“第２チャネル”及び「リンク種別」“ＤＬ”のチャネルの信号経路は、当該伝送路１カード１５０への「入力」が“呼制御カード”であり、当該伝送路１カード１５０からの「出力」が“ＭＭＥ”である。
【０１０４】
また、「経路種別」“第３チャネル”及び「リンク種別」“ＵＬ”のチャネルの信号経路は、当該伝送路１カード１５０への「入力」が“ＭＭＥ”であり、当該伝送路１カード１５０からの「出力」が“Ｌ２−１カード”である。また、「経路種別」“第３チャネル”及び「リンク種別」“ＤＬ”のチャネルの信号経路は、当該伝送路１カード１５０への「入力」が“Ｌ２−１カード”であり、当該伝送路１カード１５０からの「出力」が“ＭＭＥ”である。
【０１０５】
［第１チャネルの信号経路確立処理］
図１４は、第１チャネルの信号経路確立処理の一例を示すシーケンス図である。図１４は、ＲＥＣ装置１００の起動後のシーケンスを示す。第１チャネルの主な信号経路は、呼制御カード１１０、Ｌ１カード１４０、伝送路２カード１６０が接続されて構成される。なお、図１４において、説明の簡略のため、ＲＥＣ装置１００は、各処理カードを１つずつ収容するとするが、各処理カードを複数収容する場合も、同様の処理となる。
【０１０６】
先ず、呼制御カード１１０は、Ｌ２−２カード１２０、Ｌ２−１カード１３０、Ｌ１カード１４０、伝送路１カード１５０、伝送路２カード１６０から受信した各カード情報を、カード情報テーブル１１４へ登録する（ステップＳ１１）。そして、呼制御カード１１０は、カード情報テーブル１１４から、第１チャネルを構成する処理カードを選択する（ステップＳ１２）。そして、呼制御カード１１０は、伝送路１カード１５０へ、ＭＭＥとのＳ１確立要求を送信する（ステップＳ１３ａ）。そして、伝送路１カード１５０は、伝送路１カード１５０からのＭＭＥとのＳ１確立要求に応じて、ＭＭＥとのＳ１通信リンクを確立する（ステップＳ１３ｂ）。
【０１０７】
一方、呼制御カード１１０は、Ｌ２−２カード１２０へ、第１チャネルの信号経路を構成する処理カードの情報である接続関係情報を含む確立要求を送信する（ステップＳ１４ａ）。Ｌ２−２カード１２０は、呼制御カード１１０からの第１チャネルに関する接続関係情報から、接続テンプレートテーブル１２３の「入力」「出力」と合致する「カード種別」のエントリ及び“伝送路１カード”“伝送路２カード”を含むエントリを抽出する。そして、Ｌ２−２カード１２０は、抽出した接続関係情報を、接続関係情報テーブル１２２へ登録する（ステップＳ１４ｂ）。
【０１０８】
そして、Ｌ２−２カード１２０は、呼制御カード１１０から受信した接続関係情報を含む第１チャネルの信号経路確立要求を、Ｌ１カード１４０へ送信する（ステップＳ１５ａ）。Ｌ１カード１４０は、Ｌ２−２カード１２０からの第１チャネルに関する接続関係情報から、接続テンプレートテーブル１４３の「入力」「出力」と合致する「カード種別」のエントリ及び“伝送路１カード”“伝送路２カード”を含むエントリを抽出する。そして、Ｌ１カード１４０は、抽出した接続関係情報を、接続関係情報テーブル１４２へ登録する（ステップＳ１５ｂ）。
【０１０９】
そして、Ｌ１カード１４０は、接続関係情報を正常に登録し、呼制御カード１１０、Ｌ２−２カード１２０、伝送路２カード１６０との信号経路を確立すると、Ｌ２−２カード１２０へ信号経路確立応答を送信する（ステップＳ１５ｃ）。そして、Ｌ２−２カード１２０は、接続関係情報を正常に登録し、Ｌ１カード１４０から信号経路確立応答を受信すると、呼制御カード１１０へ信号経路確立応答を送信する（ステップＳ１６）。
【０１１０】
呼制御カード１１０は、Ｌ２−２カード１２０から信号経路確立応答を受信すると、Ｌ２−２カード１２０、Ｌ１カード１４０、伝送路２カード１６０へ、第１チャネルの送受信開始要求を送信する（ステップＳ１７）。呼制御カード１１０は、ステップＳ１２〜ステップＳ１７の一連の処理を、ＲＥＣ装置１００が収容する全てのセルについて実行する。
【０１１１】
Ｌ１カード１４０は、第１チャネルの送受信開始要求を受信後、例えば、ＰＤＣＣＨ、ＰＣＦＩＣＨ等がマッピングされたＩＱ（In-phase／Quadrature）信号の出力を開始する。そして、Ｌ１カード１４０は、当該ＩＱデータで示される無線信号を、無線装置（ＲＥ２００）を介して送信する。なお、ＰＤＣＣＨはPhysical  Downlink  Control  Channelの略であり、ＰＣＦＩＣＨはPhysical  Control  Format  Indicator  Channelの略である。
【０１１２】
なお、Ｌ１カード１４０は、第１チャネルの信号経路を構成する呼制御カード１１０からの指示に基づいて、所定のタイミングにおいて論理チャネル（ＢＣＣＨ）で送信される報知情報（ＭＩＢ情報、ＳＩＢ情報等）をマッピングしたＩＱ信号を出力してもよい。なお、ＢＣＣＨはBroadcast  Control  Channelの略であり、ＭＩＢはMaster  Information  Blockの略であり、ＳＩＢはSystem  Information  Blockの略である。
【０１１３】
また、３ＧＰＰ（3rd  Generation  Partnership  Project、登録商標）の仕様上、報知情報（ＭＩＢ情報やＳＩＢ情報）にはＰＤＣＰ処理は実行されない。また、報知情報（ＭＩＢ情報やＳＩＢ情報）に対してＲＬＣはＴＭ（Transparent  Mode）であるため、ＲＬＣ処理は実行されない。従って、ＲＥＣ装置１００は、Ｌ２−１カード１３０を含まない信号経路（「呼制御カード」「Ｌ２−２カード」「Ｌ１カード」「伝送路２カード」で構成された第１チャネルの信号経路）を用いて、報知情報をマッピングしたＩＱ信号を出力することができる。
【０１１４】
また、当該Ｌ１カード１４０は、ＲＥＣ装置１００に収容される移動局からのＰＲＡＣＨ、ＲＲＣ等のＵＬ（UpLink）信号に対して処理を行った結果を、第１チャネルの信号経路を構成する呼制御カード１１０へ通知することができる。なお、ＰＲＡＣＨはPhysical  Common  Packet  Channelの略であり、ＲＲＣはRadio  Resource  Controlの略である。
【０１１５】
なお、３ＧＰＰの仕様上、ＰＲＡＣＨにはＲＬＣ処理は実行されない。また、ＲＲＣにはＰＤＣＰ処理は実行されず、ＲＬＣは当該ＲＲＣ信号（Radio  Resource  Control  Connection  Request）に対してＴＭ（Transparent  Mode）であるため実行されない。従って、ＲＥＣ装置１００は、Ｌ２−１カード１３０を含まない信号経路（「呼制御カード」「Ｌ２−２カード」「Ｌ１カード」「伝送路２カード」で構成された第１チャネルの信号経路）を用いて、ＰＲＡＣＨ信号、ＲＲＣ信号等のＵＬ信号を処理できる。
【０１１６】
また、各処理カードは、接続関係情報の登録処理に失敗した場合、登録処理が正常に完了しなかった旨を示す経路確立応答（否定的応答）を返信してもよい。当該否定的応答には、登録処理に失敗した処理カードのカード種別やカード番号などの当該カードに関する情報を含むことができる。呼制御カード１１０は、登録処理が正常に完了しなかった旨を示す経路確立応答（否定的応答）を受信した場合、否定的応答に示されるカードと同種のカードを再度選択し直して、経路確立要求を送信してもよい。
【０１１７】
［第１チャネルの信号経路確立要求に含まれる接続関係情報］
図１５は、第１チャネルの信号経路確立要求に含まれる接続関係情報の一例を示す図である。図１５は、図１４で示したステップＳ１４ａ及びステップＳ１５ａにおいて送信される信号経路確立要求が含む接続関係情報の一例を示す。
【０１１８】
図１５は、呼制御カード１１０が、第１チャネルの信号経路を構成する処理カードとして選択した全処理カードの接続関係に関する情報（接続関係情報）を示す。呼制御カード１１０は、カード情報テーブル１１４の内容に基づいて、図１５に例示する接続関係情報を生成する。そして、呼制御カード１１０は、生成した接続関係情報を含む第１チャネルの経路確立要求を、選択したカードのうちカード種別が、例えばＬ２−２カード１２０である処理カードへ送信する。
【０１１９】
図１５に示す接続関係情報は、第１チャネルを構成する処理カードに関する情報の一覧であり、「セル番号」「経路種別」「カード番号」「カード種別」「アドレス情報」のカラムを有する。「セル番号」は、当該第１チャネルを割り当てるセルを識別する情報を示す。例えば、「セル番号」は、ＰＣＩＤ（Physical  Cell  IDentifier）、ＧＣＩＤ（Global  Cell  IDentifier）等である。「経路種別」は、当該経路確立要求により確立する経路の種別を示す。図１５に示す例では、第１チャネルの経路確立要求に含まれる接続関係情報であるため、経路種別が第１チャネルであることを示す。
【０１２０】
例えば、図１４に示す第１チャネルの信号経路確立処理を実行する場合において、図１５に示す接続関係情報を用いると、「カード番号」“１”“２１”“２２”の各処理カード間で第１チャネルの信号経路が構成される。
【０１２１】
［Ｌ２−２カードへ登録される第１チャネルの信号経路に関する接続関係情報テーブル］
図１６Ａは、Ｌ２−２カードへ登録される第１チャネルの信号経路に関する接続関係情報テーブルの一例を示す図である。図１６Ａは、図１４に示すステップＳ１４ｂにおいて、Ｌ２−２カード１２０が接続関係情報テーブル１２２へ登録する接続関係情報の例を示す。
【０１２２】
Ｌ２−２カード１２０は、呼制御カード１１０からの第１チャネルに関する接続関係情報から、接続テンプレートテーブル１２３の「入力」「出力」と合致する「カード種別」のエントリ及び“伝送路１カード”“伝送路２カード”を含むエントリを抽出する。そして、Ｌ２−２カード１２０は、抽出した接続関係情報を、第１チャネルの信号経路に関する接続関係情報として、図１６Ａに示すように、接続関係情報テーブル１２２へ登録する。
【０１２３】
その結果、Ｌ２−２カード１２０は、第１チャネルの信号経路について登録された接続関係情報に基づいて、例えば図５に示す「カード番号」“１”〜“５”の５つのＬ１カードのうち、「カード番号」“１”のＬ１カードに対してスケジューリング処理を行う。
【０１２４】
［Ｌ１カードへ登録される第１チャネルの信号経路に関する接続関係情報テーブル］
図１６Ｂは、Ｌ１カードへ登録される第１チャネルの信号経路に関する接続関係情報テーブルの一例を示す図である。図１６Ａは、図１４に示すステップＳ１５ｂにおいて、Ｌ１カード１４０が接続関係情報テーブル１４２へ登録する接続関係情報の例を示す。
【０１２５】
Ｌ１カード１４０は、Ｌ２−２カード１２０からの第１チャネルに関する接続関係情報から、接続テンプレートテーブル１４３の「入力」「出力」と合致する「カード種別」のエントリ及び“伝送路１カード”“伝送路２カード”を含むエントリを抽出する。そして、Ｌ１カード１４０は、抽出した接続関係情報を、第１チャネルの信号経路に関する接続関係報として、接続関係情報テーブル１４２へ登録する。
【０１２６】
その結果、Ｌ１カード１４０は、第１チャネルの信号経路について登録された接続関係情報に基づいて、例えば図５に示す「カード番号」“６”〜“１３”の８つのＬ２−２カードのうち「カード番号」“６”のＬ２−２カードによりスケジューリング制御される。
【０１２７】
また、Ｌ１カード１４０は、第１チャネルのアップリンク信号経路において、「カード番号」“１９”〜“２１”までの３つの呼制御カードのうち、「カード番号」“２１”の呼制御カード（主呼制御カード）へＭＡＣ層の処理結果を通知すればよいことがわかる。
【０１２８】
［第１チャネルの信号経路確立処理により確立された信号経路］
図１７は、第１チャネルの信号経路確立処理により確立された信号経路の一例を示すブロック図である。図１７は、ＲＥＣ装置１００内の各処理カード間の通信（ＲＥＣ装置１００内通信）に、高速シリアル通信であるｓＲＩＯ（Serial  Rapid  Input/Output、登録商標）を用いる例を示す。
【０１２９】
図１７に示すように、呼制御カード１１０とＬ１カード１４０とは、ｓＲＩＯによる双方向通信を行う。また、Ｌ１カード１４０と伝送路２カード１６０とは、ｓＲＩＯによる双方向通信を行う。伝送路２カード１６０とＲＥとは、ＣＰＲＩによる双方向通信を行う。Ｌ２−２カード１２０とＬ１カード１４０とは、ＭＡＣ層における双方向通信を行う。
【０１３０】
ｓＲＩＯ通信では、宛先アドレスとしてカード番号（カードスロットの番号）が用いられる。図１７では、ＬＴＥ（Long  Term  Evolution、登録商標）プロトコル層とｓＲＩＯ層との間の通信層の図示を省略している。しかし、例えば、ＬＴＥプロトコル層及びｓＲＩＯ層間において、ＩＰアドレスを用いてカード間のアドレスを指定するカード間インタフェース層を設けることができる。当該カード間インタフェース層では、上位レイヤ（例えばＬＴＥのＭＡＣ層）からの信号の宛先カードが、ＩＰアドレスを用いて指定される。そして、当該カード間インタフェース層では、当該指定されたＩＰアドレスから最終的にはカード番号が特定され、当該特定されたカード番号を用いてｓＲＩＯ層によるカード間通信が行われる。
【０１３１】
ＩＰアドレスとカード番号とを変換する処理には、図５に示すカード情報テーブルと同様のリストを用いてもよい。あるいは、図１４に示すような「カード情報の通知」を受けた際にＭＡＣアドレスとカード番号との対応表を生成し、既存のＡＲＰ（Address  Resolution  Protocol）テーブルを用いてもよい。そして、ＩＰアドレスとＭＡＣアドレスとの変換を経由して、当該ＭＡＣ−カード番号対応表を利用してＭＡＣアドレスからカード番号を特定する方法を用いてもよい。
【０１３２】
［第２チャネルの信号経路確立処理］
図１８は、第２チャネルの信号経路確立処理の一例を示すシーケンス図である。図１８は、ＲＥＣ装置１００において第１チャネルの信号経路の確立後、第２チャネルの信号経路を確立させるシーケンスを示す。図１８は、例えば、ＲＥＣ装置１００が収容する移動局の無線接続シーケンスにおいて「ＲＲＣ信号のＵＬ信号を受信」した場合に、当該ＲＲＣ信号を送信した移動局に対して第２チャネルの信号経路を確立するときに実行されるシーケンスを示す。なお、ＲＲＣ信号は、Radio  Resource  Control  Connection  Requestである。
【０１３３】
第２チャネルの主な信号経路は、呼制御カード１１０、Ｌ２−２カード１２０、Ｌ２−１カード１３０、Ｌ１カード１４０、伝送路１カード１５０、伝送路２カード１６０が接続されて構成される。なお、図１８において、説明の簡略のため、ＲＥＣ装置１００は、各処理カードを１つずつ収容するとするが、各処理カードを複数収容する場合も、同様の処理となる。
【０１３４】
先ず、呼制御カード１１０は、カード情報テーブル１１４から、第２チャネルを構成する処理カードを選択する（ステップＳ２１）。そして、呼制御カード１１０は、伝送路１カード１５０へ、第２チャネルの信号経路確立要求を送信する（ステップＳ２２ａ）。
【０１３５】
伝送路１カード１５０は、呼制御カード１１０からの第２チャネルに関する接続関係情報から、接続テンプレートテーブル１５３の「入力」「出力」と合致する「カード種別」のエントリ及び“伝送路１カード”“伝送路２カード”を含むエントリを抽出する。そして、伝送路１カード１５０は、抽出した接続関係情報を、接続関係情報テーブル１５２へ登録する（ステップＳ２２ｂ）。そして、伝送路１カード１５０は、接続関係情報を接続関係情報テーブル１５２へ正常に登録完了すると、信号経路確立応答を、呼制御カード１１０へ送信する（ステップＳ２２ｃ）。
【０１３６】
一方、呼制御カード１１０は、Ｌ２−２カード１２０へ、第２チャネルの信号経路を構成する処理カードの情報である接続関係情報を含む確立要求を送信する（ステップＳ２３ａ）。Ｌ２−２カード１２０は、呼制御カード１１０からの第２チャネルに関する接続関係情報から、接続テンプレートテーブル１２３の「入力」「出力」と合致する「カード種別」のエントリ及び“伝送路１カード”“伝送路２カード”を含むエントリを抽出する。そして、Ｌ２−２カード１２０は、抽出した接続関係情報を、接続関係情報テーブル１２２へ登録する（ステップＳ２３ｂ）。
【０１３７】
そして、Ｌ２−２カード１２０は、呼制御カード１１０から受信した接続関係情報を含む第２チャネルの信号経路確立要求を、Ｌ２−１カード１３０へ送信する（ステップＳ２４ａ）。Ｌ２−１カード１３０は、Ｌ２−２カード１２０からの第２チャネルに関する接続関係情報から、接続テンプレートテーブル１３３の「入力」「出力」と合致する「カード種別」のエントリ及び“伝送路１カード”“伝送路２カード”を含むエントリを抽出する。そして、Ｌ２−１カード１３０は、抽出した接続関係情報を、接続関係情報テーブル１３２へ登録する（ステップＳ２４ｂ）。そして、Ｌ２−１カード１３０は、接続関係情報を接続関係情報テーブル１３２へ正常に登録完了すると、信号経路確立応答を、Ｌ２−２カード１２０へ送信する（ステップＳ２４ｃ）。
【０１３８】
また、Ｌ２−２カード１２０は、呼制御カード１１０から受信した接続関係情報を含む第２チャネルの信号経路確立要求を、Ｌ１カード１４０へ送信する（ステップＳ２５ａ）。Ｌ１カード１４０は、Ｌ２−２カード１２０からの第２チャネルに関する接続関係情報から、接続テンプレートテーブル１４３の「入力」「出力」と合致する「カード種別」のエントリ及び“伝送路１カード”“伝送路２カード”を含むエントリを抽出する。そして、Ｌ１カード１４０は、抽出した接続関係情報を、接続関係情報テーブル１４２へ登録する（ステップＳ２５ｂ）。
【０１３９】
そして、Ｌ１カード１４０は、接続関係情報を接続関係情報テーブル１４２へ正常に登録完了すると、信号経路確立応答を、Ｌ２−２カード１２０へ送信する（ステップＳ２５ｃ）。そして、Ｌ２−２カード１２０は、Ｌ１カード１４０から信号経路確立応答を受信すると、呼制御カード１１０へ信号経路確立応答を送信する（ステップＳ２６）。
【０１４０】
なお、各処理カードは、接続関係情報の登録処理に失敗した場合、登録処理が正常に完了しなかった旨を示す経路確立応答（否定的応答）を送信してもよい。当該否定的応答には、登録処理に失敗した処理カードの「カード種別」、「カード番号」等の当該処理カードに関する情報を含めることができる。呼制御カード１１０は、否定的応答を受信した場合、否定的応答に示されるカードと同種である他の処理カードを再度選択し、信号経路確立要求を送信してもよい。
【０１４１】
［第２チャネルの信号経路確立要求に含まれる接続関係情報］
図１９は、第２チャネルの信号経路確立要求に含まれる接続関係情報の一例を示す図である。図１９は、図１８で示したステップＳ２２ａ、ステップＳ２３ａ及びステップＳ２５ａにおいて送信される信号経路確立要求が含む接続関係情報の一例を示す。
【０１４２】
すなわち、呼制御カード１１０は、カード情報テーブル１１４に登録されている内容に基づいて、第２チャネルの信号経路を構成する処理カードの選択を行う。例えば、呼制御カード１１０は、第２チャネルの信号経路を構成する処理カードの情報として、全ての「カード種別」について、カード種別毎に１つのカード情報を選択する。
【０１４３】
そして、呼制御カード１１０は、第２チャネルの信号経路を構成する処理カードとして選択された全処理カードを含む接続関係情報を、カード情報テーブル１１４の内容に基づいて生成する。そして、呼制御カード１１０は、生成した接続関係情報を含む第２チャネルの経路確立要求を、選択した処理カードのうち、「カード種別」が“Ｌ２−２カード”“伝送路１カード”の処理カードへ送信する。
【０１４４】
なお、呼制御カード１１０が伝送路１カード１５０へ送信する接続関係情報は、Ｌ２−２カード１２０へ送信する接続関係情報と同じであってもよい。または、呼制御カード１１０が伝送路１カード１５０へ送信する接続関係情報は、Ｌ２−２カード１２０へ送信する接続関係情報の一部を抽出したものであってもよい。例えば、第２チャネルの信号経路において直接の接続関係を有する呼制御カード１１０に関する情報のみ接続関係情報に含ませてもよい。
【０１４５】
生成された接続関係情報は、カード情報テーブル１１４の内容の他に、「リソース識別情報」が追加される。リソース識別情報は、例えば、呼（Bearer）を識別する情報（例えばＥＰＳ（Evolved  Packet  System）  Bearer  Identity）等であってもよい。また、リソース識別情報は、ＲＥＣ装置１００が収容する移動局を識別する情報（例えばＣ−ＲＮＴＩ（Cell-Radio  Network  Temporary  Identifier）等）であってもよい。または、リソース識別情報は、呼を識別する情報及び移動局を識別する情報の組合せであってもよい。
【０１４６】
なお、Ｃ−ＲＮＴＩは、セル間では同じ値になり得る。１つの処理カードに複数セルのリソースを割り当てる場合、セル番号とリソース識別情報（Ｃ−ＲＮＴＩ）との組合せでリソースを一意に特定することができる。また、呼を識別する情報は、ＲＥＣ装置１００内で一意の値をとる。すなわち、ＲＥＣ装置１００へ収容されるセル間でユニークな値となる。対して、Ｃ−ＲＮＴＩは、セル単位でユニークとなるように管理されるため、セル間でユニークな値とはならない。
【０１４７】
［Ｌ２−２カードへ登録される第２チャネルの信号経路に関する接続関係情報テーブル］
図２０Ａは、Ｌ２−２カードへ登録される第２チャネルの信号経路に関する接続関係情報テーブルの一例を示す図である。図２０Ａは、図１８に示すステップＳ２３ｂにおいて、Ｌ２−２カード１２０が接続関係情報テーブル１２２へ登録する接続関係情報の例を示す。
【０１４８】
Ｌ２−２カード１２０は、呼制御カード１１０からの第２チャネルに関する接続関係情報から、接続テンプレートテーブル１２３の「入力」「出力」と合致する「カード種別」のエントリ及び“伝送路１カード”“伝送路２カード”を含むエントリを抽出する。そして、Ｌ２−２カード１２０は、抽出した接続関係情報を、第２チャネルの信号経路に関する接続関係情報として、図２０Ａに示すように、接続関係情報テーブル１２２へ登録する。そして、Ｌ２−２カード１２０は、呼制御カード１１０からの第２チャネルの信号経路確立要求に応じた登録処理が正常に完了した場合、正常に完了した旨を示す信号経路確立応答（肯定的応答）を、信号経路確立要求を送信した呼制御カード１１０へ送信する。
【０１４９】
その結果、Ｌ２−２カード１２０は、第２チャネルの信号経路について登録された接続関係情報に基づいて、例えば、図５に示すカード情報テーブル１１４の「カード番号」“１”〜“５”のうちの「カード番号」“１”のＬ１カードのスケジューリング処理を行う。
【０１５０】
なお、Ｌ２−２カード１２０は、第２チャネルの信号経路に関する接続関係を登録する際に、呼制御カード１１０から受信した接続関係情報の全部を登録してもよいし、一部を抽出して登録してもよい。例えば、伝送路１カード１５０及び伝送路２カード１６０に関する情報を省略してもよい。これは、第２チャネルの信号経路において、Ｌ２−２カード１２０は、Ｌ２−１カード１３０とＬ１カード１４０とは直接の接続関係を有するが、伝送路１カード１５０及び伝送路２カード１６０とは直接の接続関係を有さないためである。
【０１５１】
また、Ｌ２−２カード１２０は、呼制御カード１１０からの接続関係情報に示されるＬ１カード及びＬ２−１カードに対して、当該接続関係情報に基づく経路確立要求を送信する。ここで、Ｌ２−２カード１２０がＬ２−１カード１３０及びＬ１カード１４０に対して送信する第２チャネルの信号経路確立要求に含ませる接続関係情報は、呼制御カード１１０から受信した接続関係情報の一部を抽出したものであってもよいし、全部であってもよい。
【０１５２】
例えば、Ｌ２−２カード１２０は、Ｌ１カード１４０に対して送信する接続関係情報において、伝送路１カード１５０に関する情報を省略してもよい。こでは、第２チャネルの信号経路において、Ｌ１カード１４０は、Ｌ２−２カード１２０とＬ２−１カード１３０と伝送路２カード１６０とは直接の接続関係を有するが、伝送路１カード１５０とは直接の接続関係を有さないためである。
【０１５３】
また、例えば、Ｌ２−２カード１２０は、Ｌ２−１カード１３０に対して送信する接続関係情報において、伝送路１カード１５０及び伝送路２カード１６０に関する情報を省略してもよい。これは、Ｌ２−１カード１３０は、第２チャネルの信号経路において、呼制御カード１１０とＬ２−２カード１２０とＬ１カード１４０とは直接の接続関係を有するが、伝送路１カード１５０と伝送路２カード１６０とは直接の接続関係を有さないためである。
【０１５４】
［Ｌ２−１カードへ登録される第２チャネルの信号経路に関する接続関係情報テーブル］
図２０Ｂは、Ｌ２−１カードへ登録される第２チャネルの信号経路に関する接続関係情報テーブルの一例を示す図である。図２０Ａは、図１８に示すステップＳ２４ｂにおいて、Ｌ２−１カード１３０が接続関係情報テーブル１３２へ登録する接続関係情報の例を示す。
【０１５５】
Ｌ２−１カード１３０は、Ｌ２−２カード１２０からの第２チャネルに関する接続関係情報から、接続テンプレートテーブル１３３の「入力」「出力」と合致する「カード種別」のエントリ及び“伝送路１カード”“伝送路２カード”を含むエントリを抽出する。そして、Ｌ２−１カード１３０は、抽出した接続関係情報を、第２チャネルの信号経路に関する接続関係情報として、図２０Ｂに示すように、接続関係情報テーブル１３２へ登録する。
【０１５６】
そして、Ｌ２−１カード１３０は、接続関係情報の登録処理が完了した後、登録処理が正常に完了した旨を示す経路確立応答（肯定的応答）を、経路確立要求を送信したＬ２−２カード１２０へ送信する。
【０１５７】
その結果、Ｌ２−１カード１３０は、第２チャネルの信号経路について登録された接続関係情報に基づいて、例えば、図５に示すカード情報テーブル１１４の「カード番号」“１”〜“５”のうち「カード番号」“１”のＬ１カードと接続関係を有する。
【０１５８】
［Ｌ１カードへ登録される第２チャネルの信号経路に関する接続関係情報テーブル］
図２０Ｃは、Ｌ１カードへ登録される第２チャネルの信号経路に関する接続関係情報テーブルの一例を示す図である。図２０Ｃは、図１８に示すステップＳ２５ｂにおいて、Ｌ１カード１４０が接続関係情報テーブル１４２へ登録する接続関係情報の例を示す。
【０１５９】
Ｌ１カード１４０は、Ｌ２−２カード１２０からの第２チャネルに関する接続関係情報から、接続テンプレートテーブル１４３の「入力」「出力」と合致する「カード種別」のエントリ及び“伝送路１カード”“伝送路２カード”を含むエントリを抽出する。そして、Ｌ１カード１４０は、抽出した接続関係情報を、第２チャネルの信号経路に関する接続関係情報として、図２０Ｃに示すように、接続関係情報テーブル１４２へ登録する。
【０１６０】
そして、Ｌ１カード１４０は、接続関係情報の登録処理が完了した後、登録処理が正常に完了した旨を示す経路確立応答（肯定的応答）を、経路確立要求を送信したＬ２−２カード１２０へ送信する。
【０１６１】
その結果、Ｌ１カード１４０は、第２チャネルの信号経路について登録された接続関係情報に基づいて、例えば、図５に示すカード情報テーブル１１４の「カード番号」“１６”〜“１８”のうちの「カード番号」“１６”のＬ２−１カードと接続関係を有する。
【０１６２】
［伝送路１カードへ登録される第２チャネルの信号経路に関する接続関係情報テーブル］
図２０Ｄは、伝送路１カードへ登録される第２チャネルの信号経路に関する接続関係情報テーブルの一例を示す図である。図２０Ｄは、図１８に示すステップＳ２２ｂにおいて、伝送路１カード１５０が接続関係情報テーブル１５２へ登録する接続関係情報の例を示す。
【０１６３】
伝送路１カード１５０は、呼制御カード１１０からの第２チャネルに関する接続関係情報から、接続テンプレートテーブル１５３の「入力」「出力」と合致する「カード種別」のエントリ及び“伝送路１カード”“伝送路２カード”を含むエントリを抽出する。そして、伝送路１カード１５０は、抽出した接続関係情報を、第２チャネルの信号経路に関する接続関係情報として、接続関係情報テーブル１５２へ登録する。
【０１６４】
そして、伝送路１カード１５０は、呼制御カード１１０からの第２チャネルの経路確立要求に応じた登録処理が正常に完了した場合、登録処理が正常に完了した旨を示す経路確立応答（肯定的応答）を、経路確立要求を送信した呼制御カード１１０へ送信する。
【０１６５】
その結果、伝送路１カード１５０は、第２チャネルの信号経路について登録された接続関係情報に基づいて、例えば図５に示すカード情報テーブル１１４の「カード番号」“１９”〜“２１”のうち“２１”の呼制御カード（主呼制御カード）と接続関係を有する。
【０１６６】
［第２チャネルの信号経路確立処理により確立された信号経路］
図２１は、第２チャネルの信号経路確立処理により確立された信号経路の一例を示すブロック図である。図２１は、図１７に示す第１チャネルの信号経路確立処理により確立された信号経路と同様に、ＲＥＣ装置１００内の各処理カード間の通信（ＲＥＣ装置１００内通信）に、ｓＲＩＯを用いる例を示す。
【０１６７】
図２１に示すように、伝送路１カード１５０とＭＭＥとは、Ｅｔｈｅｒｎｅｔ（登録商標、以下同様）による双方向通信を行う。呼制御カード１１０と伝送路１カード１５０とは、ｓＲＩＯによる双方向通信を行う。呼制御カード１１０とＬ２−１カード１３０とは、ｓＲＩＯによる双方向通信を行う。Ｌ２−１カード１３０とＬ１カード１４０とは、ｓＲＩＯによる双方向通信を行う。Ｌ１カード１４０と伝送路２カード１６０とは、ｓＲＩＯによる双方向通信を行う。伝送路２カード１６０とＲＥとは、ＣＰＲＩによる双方向通信を行う。
【０１６８】
また、Ｌ２−２カード１２０とＬ２−１カード１３０とは、Ｌ２−１カード１３０のＰＤＣＰ層からＬ２−２カード１２０のＭＡＣアドレス層への一方向通信を行う。Ｌ２−２カード１２０とＬ１カード１４０とは、ＭＡＣ層における双方向通信を行う。
【０１６９】
［第３チャネルの信号経路確立処理］
図２２は、第３チャネルの信号経路確立処理の一例を示すシーケンス図である。図２２は、ＲＥＣ装置１００において第２チャネルの信号経路の確立後、第３チャネルの信号経路を確立させるシーケンスを示す。図２２は、例えば、ＲＥＣ装置１００が収容する移動局の無線接続シーケンスにおける「ＲＲＣ信号のＵＬ信号を受信」した場合に、当該ＲＲＣ信号を送信した移動局に対して第２チャネルの信号経路を確立するときに実行されるシーケンスを示す。図２２に示すシーケンスは、図１８と同様である。なお、ＲＲＣ信号は、Radio  Resource  Control  Connection  Requestである。
【０１７０】
第３チャネルの主な信号経路は、Ｌ２−２カード１２０、Ｌ２−１カード１３０、Ｌ１カード１４０、伝送路１カード１５０、伝送路２カード１６０が接続されて構成される。なお、図２２において、説明の簡略のため、ＲＥＣ装置１００は、各処理カードを１つずつ収容するとするが、各処理カードを複数収容する場合も、同様の処理となる。
【０１７１】
先ず、呼制御カード１１０は、カード情報テーブル１１４から、第３チャネルを構成する処理カードを選択する（ステップＳ３１）。そして、呼制御カード１１０は、伝送路１カード１５０へ、第３チャネルの信号経路確立要求を送信する（ステップＳ３２ａ）。
【０１７２】
伝送路１カード１５０は、呼制御カード１１０からの第３チャネルに関する接続関係情報から、接続テンプレートテーブル１５３の「入力」「出力」と合致する「カード種別」のエントリ及び“伝送路１カード”“伝送路２カード”を含むエントリを抽出する。そして、伝送路１カード１５０は、抽出した接続関係情報を、接続関係情報テーブル１５２へ登録する（ステップＳ３２ｂ）。そして、伝送路１カード１５０は、接続関係情報を接続関係情報テーブル１５２へ正常に登録完了すると、信号経路確立応答を、呼制御カード１１０へ送信する（ステップＳ３２ｃ）。
【０１７３】
一方、呼制御カード１１０は、Ｌ２−２カード１２０へ、第３チャネルの信号経路を構成する処理カードの情報である接続関係情報を含む確立要求を送信する（ステップＳ３３ａ）。Ｌ２−２カード１２０は、呼制御カード１１０からの第３チャネルに関する接続関係情報から、接続テンプレートテーブル１２３の「入力」「出力」と合致する「カード種別」のエントリ及び“伝送路１カード”“伝送路２カード”を含むエントリを抽出する。そして、Ｌ２−２カード１２０は、抽出した接続関係情報を、接続関係情報テーブル１２２へ登録する（ステップＳ３３ｂ）。
【０１７４】
そして、Ｌ２−２カード１２０は、呼制御カード１１０から受信した接続関係情報を含む第３チャネルの信号経路確立要求を、Ｌ２−１カード１３０へ送信する（ステップＳ３４ａ）。Ｌ２−１カード１３０は、Ｌ２−２カード１２０からの第３チャネルに関する接続関係情報から、接続テンプレートテーブル１３３の「入力」「出力」と合致する「カード種別」のエントリ及び“伝送路１カード”“伝送路２カード”を含むエントリを抽出する。そして、Ｌ２−１カード１３０は、抽出した接続関係情報を、接続関係情報テーブル１３２へ登録する（ステップＳ３４ｂ）。そして、Ｌ２−１カード１３０は、接続関係情報を接続関係情報テーブル１３２へ正常に登録完了すると、信号経路確立応答を、Ｌ２−２カード１２０へ送信する（ステップＳ３４ｃ）。
【０１７５】
また、Ｌ２−２カード１２０は、呼制御カード１１０から受信した接続関係情報を含む第３チャネルの信号経路確立要求を、Ｌ１カード１４０へ送信する（ステップＳ３５ａ）。Ｌ１カード１４０は、Ｌ２−２カード１２０からの第３チャネルに関する接続関係情報から、接続テンプレートテーブル１４３の「入力」「出力」と合致する「カード種別」のエントリ及び“伝送路１カード”“伝送路２カード”を含むエントリを抽出する。そして、Ｌ１カード１４０は、抽出した接続関係情報を、接続関係情報テーブル１４２へ登録する（ステップＳ３５ｂ）。そして、Ｌ１カード１４０は、接続関係情報を接続関係情報テーブル１４２へ正常に登録完了すると、信号経路確立応答を、Ｌ２−２カード１２０へ送信する（ステップＳ３５ｃ）。そして、Ｌ２−２カード１２０は、Ｌ１カード１４０から信号経路確立応答を受信すると、呼制御カード１１０へ信号経路確立応答を送信する（ステップＳ３６）。
【０１７６】
［第３チャネルの信号経路確立要求に含まれる接続関係情報］
図２３は、第３チャネルの信号経路確立要求に含まれる接続関係情報の一例を示す図である。図２３は、図２２で示したステップＳ３２ａ、ステップＳ３３ａ及びステップＳ３５ａにおいて送信される信号経路確立要求が含む接続関係情報の一例を示す。
【０１７７】
すなわち、呼制御カード１１０は、カード情報テーブル１１４に登録されている内容に基づいて、第３チャネルの信号経路を構成する処理カードの選択を行う。例えば、呼制御カード１１０は、第３チャネルの信号経路を構成する処理カードに関する情報として、「カード種別」“Ｌ２−２カード”“Ｌ２−１カード”“Ｌ１カード”“伝送路１カード”“伝送路２カード”から、カード種別毎に１つのカード情報を選択する。
【０１７８】
そして、呼制御カード１１０は、第３チャネルの信号経路を構成する処理カードとして選択された全処理カードを含む接続関係情報を、カード情報テーブル１１４の内容に基づいて生成する。そして、呼制御カード１１０は、生成した接続関係情報を含む第３チャネルの経路確立要求を、選択した処理カードのうち、「カード種別」が“Ｌ２−２カード”“伝送路１カード”の処理カードへ送信する。なお、第３チャネルの信号経路確立要求に含まれる接続関係情報の内容、その変形例及び送受信処理は、図１９に示す第２チャネルの信号経路確立要求に含まれる接続関係情報と同様である。
【０１７９】
［Ｌ２−２カードへ登録される第３チャネルの信号経路に関する接続関係情報テーブル］
図２４Ａは、Ｌ２−２カードへ登録される第３チャネルの信号経路に関する接続関係情報テーブルの一例を示す図である。図２４Ａは、図２２に示すステップＳ３３ｂにおいて、Ｌ２−２カード１２０が接続関係情報テーブル１２２へ登録する接続関係情報の例を示す。
【０１８０】
Ｌ２−２カード１２０は、呼制御カード１１０からの第３チャネルに関する接続関係情報から、接続テンプレートテーブル１２３の「入力」「出力」と合致する「カード種別」のエントリ及び“伝送路１カード”“伝送路２カード”を含むエントリを抽出する。そして、Ｌ２−２カード１２０は、抽出した接続関係情報を、第２チャネルの信号経路に関する接続関係情報として、図２４Ａに示すように、接続関係情報テーブル１２２へ登録する。Ｌ２−２カード１２０は、呼制御カード１１０からの第３チャネルの信号経路確立要求に応じた登録処理が正常に完了した場合、登録処理が正常に完了した旨を示す信号経路確立応答（肯定的応答）を、信号経路確立要求を送信した呼制御カード１１０へ送信する。
【０１８１】
その結果、Ｌ２−２カード１２０は、第３チャネルの信号経路について登録された接続関係情報に基づいて、例えば、図５に示すカード情報テーブル１１４の「カード番号」“１”〜“５”のうちの“１”のＬ１カードに対してスケジューリング処理を行う。なお、Ｌ２−２カードへ登録される第３チャネルの信号経路に関する接続関係情報テーブルの内容及びその変形例は、図２０Ａに示すＬ２−２カードへ登録される第２チャネルの信号経路に関する接続関係情報テーブルと同様である。
【０１８２】
［Ｌ２−１カードへ登録される第３チャネルの信号経路に関する接続関係情報テーブル］
図２４Ｂは、Ｌ２−１カードへ登録される第３チャネルの信号経路に関する接続関係情報テーブルの一例を示す図である。図２４Ｂは、図２２に示すステップＳ３４ｂにおいて、Ｌ２−１カード１３０が接続関係情報テーブル１３２へ登録する接続関係情報の例を示す。
【０１８３】
Ｌ２−１カード１３０は、Ｌ２−２カード１２０からの第３チャネルに関する接続関係情報から、接続テンプレートテーブル１３３の「入力」「出力」と合致する「カード種別」のエントリ及び“伝送路１カード”“伝送路２カード”を含むエントリを抽出する。そして、Ｌ２−１カード１３０は、抽出した接続関係情報を、第３チャネルの信号経路に関する接続関係情報として、図２４Ｂに示すように、接続関係情報テーブル１３２へ登録する。
【０１８４】
そして、Ｌ２−１カード１３０は、接続関係情報の登録処理が完了した後、登録処理が正常に完了した旨を示す経路確立応答（肯定的応答）を、経路確立要求を送信したＬ２−２カード１２０へ送信する。
【０１８５】
その結果、Ｌ２−１カード１３０は、第３チャネルの信号経路について登録された接続関係情報に基づいて、例えば図５に示すカード情報テーブル１１４の「カード番号」“１”〜“５”のうちの“１”のＬ１カードと接続関係を有する。
【０１８６】
［Ｌ１カードへ登録される第３チャネルの信号経路に関する接続関係情報テーブル］
図２４Ｃは、Ｌ１カードへ登録される第３チャネルの信号経路に関する接続関係情報テーブルの一例を示す図である。図２４Ｃは、図２２に示すステップＳ３５ｂにおいて、Ｌ１カード１４０が接続関係情報テーブル１４２へ登録する接続関係情報の例を示す。
【０１８７】
Ｌ１カード１４０は、Ｌ２−２カード１２０からの第３チャネルに関する接続関係情報から、接続テンプレートテーブル１４３の「入力」「出力」と合致する「カード種別」のエントリ及び“伝送路１カード”“伝送路２カード”を含むエントリを抽出する。そして、Ｌ１カード１４０は、抽出した接続関係情報を、第３チャネルの信号経路に関する接続関係情報として、図２４Ｃに示すように、接続関係情報テーブル１４２へ登録する。
【０１８８】
そして、Ｌ１カード１４０は、接続関係情報の登録処理が完了した後、登録処理が正常に完了した旨を示す経路確立応答（肯定的応答）を、経路確立要求を送信したＬ２−２カード１２０へ送信する。
【０１８９】
その結果、Ｌ１カード１４０は、第３チャネルの信号経路について登録された接続関係情報に基づいて、例えば図５に示すカード情報テーブル１１４の「カード番号」“１６”〜“１８”のうちの“１６”のＬ２−１カードと接続関係を有する。
【０１９０】
［伝送路１カードへ登録される第３チャネルの信号経路に関する接続関係情報テーブル］
図２４Ｄは、伝送路１カードへ登録される第３チャネルの信号経路に関する接続関係情報テーブルの一例を示す図である。図２４Ｄは、図２２に示すステップＳ３２ｂにおいて、伝送路１カード１５０が接続関係情報テーブル１５２へ登録する接続関係情報の例を示す。
【０１９１】
伝送路１カード１５０は、呼制御カード１１０からの第３チャネルに関する接続関係情報から、接続テンプレートテーブル１５３の「入力」「出力」と合致する「カード種別」のエントリ及び“伝送路１カード”“伝送路２カード”を含むエントリを抽出する。そして、伝送路１カード１５０は、抽出した接続関係情報を、第３チャネルの信号経路に関する接続関係情報として、接続関係情報テーブル１５２へ登録する。
【０１９２】
そして、伝送路１カード１５０は、呼制御カード１１０からの第３チャネルの経路確立要求に応じた登録処理が正常に完了した場合、登録処理が正常に完了した旨を示す経路確立応答（肯定的応答）を、経路確立要求を送信した呼制御カード１１０へ送信する。
【０１９３】
その結果、伝送路１カード１５０は、第３チャネルの信号経路についての接続関係情報に基づいて、例えば、図５に示すカード情報テーブル１１４の「カード番号」“１９”〜“２１”のうちの“２１”の呼制御カード（主呼制御カード）と接続関係を有する。
【０１９４】
［第３チャネルの信号経路確立処理により確立された信号経路］
図２５は、第３チャネルの信号経路確立処理により確立された信号経路の一例を示すブロック図である。図２５は、図１７及び図２１と同様に、ＲＥＣ装置１００内の各処理カード間の通信（ＲＥＣ装置１００内通信）に、ｓＲＩＯを用いる例を示す。
【０１９５】
図２５に示すように、伝送路１カード１５０とＭＭＥとは、Ｅｔｈｅｒｎｅｔによる双方向通信を行う。Ｌ２−１カード１３０と伝送路１カード１５０とは、ｓＲＩＯによる双方向通信を行う。Ｌ２−１カード１３０とＬ１カード１４０とは、ｓＲＩＯによる双方向通信を行う。Ｌ１カード１４０と伝送路２カード１６０とは、ｓＲＩＯによる双方向通信を行う。伝送路２カード１６０とＲＥとは、ＣＰＲＩによる双方向通信を行う。
【０１９６】
また、Ｌ２−２カード１２０とＬ２−１カード１３０とは、Ｌ２−１カード１３０のＰＤＣＰ層からＬ２−２カード１２０のＭＡＣアドレス層への一方向通信を行う。Ｌ２−２カード１２０とＬ１カード１４０とは、ＭＡＣ層における双方向通信を行う。
【０１９７】
［第１乃至第３チャネルの信号経路に関する接続関係情報テーブル］
図２６は、第１乃至第３チャネルの信号経路に関する各接続関係情報が登録されたＬ１カードの接続関係情報テーブルの一例を示す図である。図２６は、一例として、Ｌ１カード１４０の接続関係情報テーブル１４２を示す。
【０１９８】
すなわち、図２６は、第１乃至第３チャネルの信号経路確立処理の各処理を経て、図１６Ｂ、図２０Ｃ、図２４Ｃに示す接続関係情報テーブルの各エントリが、この順序で接続関係情報テーブル１４２へ登録された態様を示す。Ｌ１カード１４０は、図２６に示す接続関係情報テーブル１４２の情報に基づき、第１乃至第３チャネルの信号経路を介した通信を行う。なお、呼制御カード１１０、Ｌ２−２カード１２０、Ｌ２−１カード１３０、伝送路１カード１５０、伝送路２カード１６０も、Ｌ１カード１４０と同様にして各接続関係情報テーブルへ情報を登録及び保持する。
【０１９９】
［実施例による効果］
実施例のＲＥＣ装置１００は、１以上のＬ１カード１４０、１以上のＬ２−１カード１３０、Ｌ１カード１４０及び／又はＬ２−１カード１３０に対する通信処理のスケジューリング機能を実装する１以上のＬ２−２カード１２０のカード情報を管理する。Ｌ１カード１４０は、物理チャネルを扱う。Ｌ２−１カード１３０は、論理チャネルを扱う。ＲＥＣ装置１００の呼制御カード１１０は、第１〜第３チャネルのチャネル毎に、カード情報が管理されるＬ１カード１４０、Ｌ２−１カード１３０、Ｌ２−２カード１２０のなかから論理チャネルに関する信号経路を確立させる処理カードを選択する。呼制御カード１１０は、選択した処理カードの組合せを示す接続関係情報を、接続関係情報に含まれる各処理カードへ送信する。呼制御カード１１０から接続関係情報を受信した各処理カードが、接続関係情報をもとに各処理カード間において論理チャネルに関する第１〜第３チャネル毎の信号経路を確立する。すなわち、実施例は、基地局装置に収容されるベースバンドの処理機能を無線通信レイヤの機能単位で各処理カードに実装し、各処理カードの接続を動的に構築する。よって、ＲＥＣ装置１００は、第１乃至第３チャネルの信号経路の構築を、処理機能の増減を含めトラヒックに応じて動的かつ柔軟に行い、ダウンリンク及びアップリンクにおいて第１乃至第３チャネルを用いた無線通信を行うことができる。
【０２００】
［変形例］
（変形例１）各処理カードからのカード情報の通知の契機について
実施例では、例えば図１４に示すように、各処理カードからのカード情報の通知の契機については特に規定していない。例えば、変形例１では、図１４において、カード情報の通知は、呼制御カード１１０からの要求を受けた場合に実行されてもよい。
【０２０１】
例えば、変形例１では、各処理カードには、カード番号とＩＰアドレスの対応表がプリインストールされているとしてもよい。すなわち、各処理カードが、ＲＥＣ装置１００の起動時に自カードが収容されているカードスロットの番号をワイヤレベルで認識し、当該カード番号に基づいて自カードのＩＰアドレスを認識してもよい。さらに、各処理カードは、主呼制御カードが収容されるカードスロットの番号もプリインストールされているとしてもよい。そして、各処理カードは、ＲＥＣ装置１００の起動時に当該カード番号に宛てて、自カードの存在を通知してもよい。主呼制御カードは、当該存在通知を受けたことに応じて、当該存在通知のカードに対して、カード番号に対応するＩＰアドレスを用いて情報要求を送信し、カード情報を取得する。
【０２０２】
変形例１では、カード情報の要求などのアプリ層レベルではＩＰアドレスを用いた通信となるが、カード間のｓＲＩＯ（Serial  Rapid  Input/Output）通信では、カード番号を用いた通信となる。アプリ層でＩＰ通信を用いることで、ファイル転送時にＦＴＰアプリを利用したり、情報通知にＳＭＴＰアプリを利用したりするなど、既存のアプリケーションを流用することが可能となる。また、変形例１では、各処理カードにカード番号とアドレス情報とがプリインストールされているため、チャネルの信号経路確立要求に含ませる接続関係情報において、アドレス情報を省略することができる。
【０２０３】
（変形例２）第２チャネルの信号経路確立処理の契機について
図１８に示す第２チャネルの信号経路確立処理の変形例として、第２チャネルの信号経路確立処理の開始の契機となる「ＲＲＣ信号のＵＬ信号を受信」の前段階で、予め第２チャネルの信号経路確立処理を実行して第２チャネルの信号経路を仮確立させてもよい。この前段階とは、例えば、ＲＥＣ装置１００が収容する移動局からのＰＡＣＨを受信し、当該移動局に対してリソース割当が可能となった段階である。この場合、ＲＲＣ信号の受信に応じて、仮に確立させた第２チャネルの信号経路について、当該移動局への割当てを確定させることができる。
【０２０４】
なお、実施例で示す各処理カードにおいて各処理を実行する各制御部、各処理部、各通信部は、例えば、ＮＰ、ＣＰＵ、ＭＰＵ、ＡＳＩＣ、ＦＰＧＡが所定プログラムを実行することにより実現されてもよい。ＮＰはNetwork  Processorの略であり、ＣＰＵはCentral  Processing  Unitの略であり、ＭＰＵはMicro  Processing  Unitの略である。また、ＡＳＩＣはApplication  Specific  Integrated  Circuitの略であり、ＦＰＧＡはField-Programmable  gate  arrayの略である。
【０２０５】
また、実施例で示す各処理カードにおける各テーブル並びに各制御部、各処理部、各通信部の機能を実現する所定プログラム及び所定データは、ＲＡＭ（Random  Access  Memory）若しくはフラッシュメモリ（Flash  Memory）に記憶されてもよい。または、実施例で示す各処理カードにおける各テーブル並びに各制御部、各処理部、各通信部の機能を実現する所定プログラム及び所定データは、光学ディスク若しくは磁気ディスク若しくは光磁気ディスク等を記憶媒体とする記憶装置に記憶されてもよい。
【０２０６】
以上、本願の実施例を含む実施形態を説明したが、本発明の技術的範囲は上記実施例に記載された範囲には限定されない。上記実施例に多様な変更または改良を加えることが可能であることが当業者には明らかである。また、そのような変更または改良を加えた形態も本発明の技術的範囲に含まれ得る。
【符号の説明】
【０２０７】
１００  ＲＥＣ装置
１１０  呼制御カード
１１１  信号経路制御部
１１２  接続関係情報テーブル
１１４  カード情報テーブル
１２０  Ｌ２−２カード
１２１  信号経路制御部
１２２  接続関係情報テーブル
１３０  Ｌ２−１カード
１３１  信号経路制御部
１３２  接続関係情報テーブル
１４０  Ｌ１カード
１４１  信号経路制御部
１４２  接続関係情報テーブル
１５０  伝送路１カード
１５１  信号経路制御部
１５２  接続関係情報テーブル
１６０  伝送路２カード
【図１】
0006361473.tif 000002
【図２】
0006361473.tif 000003
【図３】
0006361473.tif 000004
【図４】
0006361473.tif 000005
【図５】
0006361473.tif 000006
【図６】
0006361473.tif 000007
【図７】
0006361473.tif 000008
【図８】
0006361473.tif 000009
【図９】
0006361473.tif 000010
【図１０】
0006361473.tif 000011
【図１１】
0006361473.tif 000012
【図１２】
0006361473.tif 000013
【図１３】
0006361473.tif 000014
【図１４】
0006361473.tif 000015
【図１５】
0006361473.tif 000016
【図１６Ａ】
0006361473.tif 000017
【図１６Ｂ】
0006361473.tif 000018
【図１７】
0006361473.tif 000019
【図１８】
0006361473.tif 000020
【図１９】
0006361473.tif 000021
【図２０Ａ】
0006361473.tif 000022
【図２０Ｂ】
0006361473.tif 000023
【図２０Ｃ】
0006361473.tif 000024
【図２０Ｄ】
0006361473.tif 000025
【図２１】
0006361473.tif 000026
【図２２】
0006361473.tif 000027
【図２３】
0006361473.tif 000028
【図２４Ａ】
0006361473.tif 000029
【図２４Ｂ】
0006361473.tif 000030
【図２４Ｃ】
0006361473.tif 000031
【図２４Ｄ】
0006361473.tif 000032
【図２５】
0006361473.tif 000033
【図２６】
0006361473.tif 000034